(57)【特許請求の範囲】
【請求項１】
画像を表示するために各々のフレーム或いはフィールド内に予め定められた複数の発光ブロックを有し、複数の前記発光ブロックは最も輝度重みの大きい発光ブロックを複数個含むように冗長性を持たせて構成されており、１つの階調レベルを複数通りの前記発光ブロックの組み合わせで表示し得る中間調表示方法であって、
任意の第１の画素の階調表示に使用する発光ブロックを定めるに当り、
前記第１の画素の左，右，上，或いは，下方向に最も近接する参照画素の内の少なくとも前記左方向に最も近接する画素を含む１つ以上の前記参照画素における、複数の前記最も輝度重みの大きい発光ブロックの内の何れの発光ブロックが点灯状態であるかを示す前記参照画素が使用する前記最も輝度重みの大きい発光ブロックのアレンジと前記第１の画素の原信号の階調レベルとに応じて、前記参照画素が使用する前記最も輝度重みの大きい発光ブロックのアレンジとできるだけ変化しないように前記第１の画素における複数の前記最も輝度重みの大きい発光ブロックの内の点灯させる発光ブロックのアレンジを決定するようにしたことを特徴とする中間調表示方法。
【請求項２】
請求項１に記載の中間調表示方法であって、
連続するフレーム或いはフィールド間で、前記第１の画素における複数の前記最も輝度重みの大きい発光ブロックの内の何れかの発光ブロックの使用状況が変化するとき、
前記第１の画素における前記最も輝度重みの大きい発光ブロックの使用状況の変化と等しい変化を示す画素が表示画面上で直線的に連続する数を検出し、該検出された連続する画素数と前記第１の画素における前記最も輝度重みの大きい発光ブロックの変化とに応じて、予め定められた輝度調整用発光ブロックを前記連続する画素のうち少なくとも一部の画素の原信号に加減処理するようにしたことを特徴とする中間調表示方法。
【請求項３】
請求項２に記載の中間調表示方法であって、
前記輝度調整用発光ブロックを原信号に加減処理する画素として、前記連続する画素に、当該連続する画素の前記第１の画素とは反対側に隣接する１つの画素を追加したことを特徴とする中間調表示方法。
【請求項４】
請求項２または３に記載の中間調表示方法であって、
前記連続する画素に加減処理される前記輝度調整用発光ブロックが、当該連続する画素内で異なる大きさを有することを特徴とする中間調表示方法。
【請求項５】
画像を表示するために各々のフレーム或いはフィールド内に予め定められた複数の発光ブロックを有し、複数の前記発光ブロックは最も輝度重みの大きい発光ブロックを複数個含むように冗長性を持たせて構成されており、１つの階調レベルを複数通りの前記発光ブロックの組み合わせで表示し得る表示装置であって、
画像表示部と、該画像表示部を駆動する駆動手段と、該駆動手段を制御する制御手段と、発光ブロックを選択する発光ブロック選択手段を備え、
該発光ブロック選択手段は、
任意の第１の画素の階調表示に使用する発光ブロックを定めるに当り、
前記第１の画素の左，右，上，或いは，下方向に最も近接する参照画素の内の少なくとも前記左方向に最も近接する画素を含む１つ以上の前記参照画素における、複数の前記最も輝度重みの大きい発光ブロックの内の何れの発光ブロックが点灯状態であるかを示す前記参照画素が使用する前記最も輝度重みの大きい発光ブロックのアレンジと前記第１の画素の原信号の階調レベルとに応じて、前記参照画素が使用する前記最も輝度重みの大きい発光ブロックのアレンジとできるだけ変化しないように前記第１の画素における複数の前記最も輝度重みの大きい発光ブロックの内の点灯させる発光ブロックのアレンジを決定するようにしたことを特徴とする表示装置。
【請求項６】
請求項５に記載の表示装置であって、
連続するフレーム或いはフィールド間で、前記第１の画素における複数の前記最も輝度重みの大きい発光ブロックの内の何れかの発光ブロックの使用状況が変化するとき、
前記第１の画素における前記最も輝度重みの大きい発光ブロックの使用状況の変化と等しい変化を示す画素が表示画面上で直線的に連続する数を検出し、該検出された連続する画素数と前記第１の画素における前記最も輝度重みの大きい発光ブロックの変化とに応じて、予め定められた輝度調整用発光ブロックを前記連続する画素のうち少なくとも一部の画素の原信号に加減処理するようにしたことを特徴とする表示装置。
【請求項７】
請求項６に記載の表示装置であって、
前記輝度調整用発光ブロックを原信号に加減処理する画素として、前記連続する画素に、当該連続する画素の前記第１の画素とは反対側に隣接する１つの画素を追加したことを特徴とする表示装置。
【請求項８】
請求項６または７に記載の表示装置であって、
前記連続する画素に加減処理される前記輝度調整用発光ブロックが、当該連続する画素内で異なる大きさを有することを特徴とする表示装置。
【発明の詳細な説明】
【０００１】
【発明の属する技術分野】
本発明はフレーム或いはフィールド内時間分割法で中間調表示を行う中間調表示方法および表示装置に関し、特に、ガス放電パネルの動画像部に発生する中間調の乱れを改善すると共に動画偽輪郭（色偽輪郭）の発生を防止する中間調表示方法および表示装置に関する。
【０００２】
近年、表示装置の大型化に伴って薄型の表示装置が要求され、各種類の薄型の表示装置が提供されている。例えば、ディジタル信号のままで表示するマトリックスパネル、すなわち、プラズマディスプレイ等のガス放電パネルや、ＤＭＤ（Digital Micromirror Device) 、ＥＬ表示素子、蛍光表示管、液晶表示素子等のマトリックスパネル等が提供されている。かかる薄型の表示装置のうち、ガス放電パネルは、簡易なプロセスのため大画面化が容易であること、自発光タイプで表示品質が良いこと、並びに、応答速度が速いこと等の理由から大画面で直視型のＨＤＴＶ（高品位テレビ）用表示デバイスの最有力候補として考えられている。しかしながら、このような表示装置において、特に、動画像部の中間調表示に乱れが生じて表示品位を損ねるという問題があり、これに対して、正また負の等化パルスを原信号に重畳して偽輪郭を低減することが考えられている。しかしながら、画像の移動速度の増大に伴って、画像の乱れは視認できるようになってしまう。そこで、移動速度の大きい動画像に対しても、中間調表示に乱れの生じない中間調表示技術が提案されているが、さらなる表示品質の向上が要望されている。
【０００３】
【従来の技術】
従来、メモリ型ガス放電パネルの中間調表示方法は、フレーム或いはフィールド内時間分割法で行われており、１フレーム（或いは、１フィールド：何れも、例えば、６０Ｈｚ周期を規定する期間）を輝度の重みの異なるＮ個の画面（サブフレーム：発光ブロック）で構成している。なお、フィールドとは、例えば、インターレース動作を行っている場合に、２フィールドで１フレームを構成するもの、或いは、他の表示動作（表示処理）において、１フレームを複数フィールドで構成するもの等における呼称であり、本質的にはフレームと同等のものである。
【０００４】
従来、サブフレーム（発光ブロック）は、輝度の重みの小さい側から各々ＳＦ０，ＳＦ１，ＳＦ２，・・・，ＳＦ（Ｎ−１）と呼ばれ、それらの輝度の重みの比は２0 ，２1 ，２2 ，・・・２N-1 となっている。そして、１フレーム内の中間調輝度は、これらサブフレームの発光の有無を選択することにより行われ、人の目の視覚特性、すなわち、残光特性により、人の目の感じる輝度はサブフレームの各々の輝度の和で表される。このときのサブフレームの１フレーム内での発光の組み合わせ、すなわち、表現できる中間調数は２N 通りである。なお、本発明が適用さる得るサブフレームの点灯シーケンスは、例えば、後述する図１９に示すような１つの階調表示を複数通りのサブフレームの組み合わせで表現することができる冗長性を持ったものであるが、まず、各サブフレームの輝度の重みの比が２0 ，２1 ，２2 ，・・・２N-1 となっている点灯シーケンスから説明を始めることにする。
【０００５】
図１は従来の各サブフレームの点灯シーケンスの一例を示す図であり、上述した従来の中間調表示方法を用いた場合の１フレーム内の点灯シーケンスを示すものである。
図１に示されるように、１フレーム（１フィールド）は８個（Ｎ＝８）の輝度の重みの異なるサブフレーム（発光ブロック）で構成され、輝度の重みの大きい方からＳＦ７，ＳＦ６，・・・，ＳＦ０と呼ばれている。ここで、ＳＦ７を最上位ｂｉｔ（ＭＳＢ）側、ＳＦ０を最下位ｂｉｔ（ＬＳＢ）側と呼んでいる。なお、各々のサブフレームは１フレームの中にＳＦ０，ＳＦ１，・・・，ＳＦ７と輝度の重みの小さいものから順に並んでいる。
【０００６】
しかしながら、図１のようにサブフレームが並んでいる点灯シーケンスの場合（２５６階調の場合）において、輝度の大きさが同じ位で、発光しているサブフレームの重なりが無いか、或いは、時間的に少ない中間階調レベルがフレーム毎に交互に点灯する場合には、そのセルの発光がフレーム周波数の半分の周期になってフリッカが発生し、表示品位を著しく阻害されることが知られている。
【０００７】
図２は中間階調レベルが１２７と１２８における各サブフレームの点灯状態の一例を示す図である。図２から明らかなように、中間階調レベル１２７では、サブフレームＳＦ０〜ＳＦ６が全て点灯してＳＦ７だけが点灯せず、また、中間階調レベル１２８では、サブフレームＳＦ０〜ＳＦ６が全て点灯せずにＳＦ７だけが点灯する。
【０００８】
すなわち、図２に示されるように、例えば、中間階調レベルの１２７と１２８がフレーム毎に交互に点灯した場合、１フレームの期間、全く点灯しない期間と点灯する期間が交互に繰り返されることになり、その結果、フレーム周期の半分の点灯周期となってフリッカが発生する。このような特定の中間階調レベル間を交互に繰り返す表示は、例えば、なだらかに輝度が変化している部分のアナログ映像表示データをＡ／Ｄ変換する場合において、フレーム間（フレーム或いはフィールド間）における変換誤差やノイズの影響等で絶えず発生している。そのため、Ａ／Ｄ変換時の変換誤差やノイズ等がフリッカとして増幅されて表示され、映像品質を低下させているという問題があった。
【０００９】
これに対して、従来、上記のフリッカを改善する中間調表示方法として、例えば、日本国特開平３−１４５６９１号公報に示されるように、サブフレーム配列を、ＳＦ０，ＳＦ２，ＳＦ４，ＳＦ６，ＳＦ７，ＳＦ５，ＳＦ３，ＳＦ１のように配列して改善することが提案されている。
また、図１の中間調表示においては、輝度の大きさが同じ位で、発光しているサブフレームの重なりが無いか、或いは、時間的に少ない中間階調レベルを隣合わせて表示した場合、それらの境界部にフリッカが発生して表示品質が著しく阻害される。この表示品質の阻害は、輝度が高いほど激しく起こることが知られている。そこで、上記のフリッカを改善するために、例えば、日本国特開平４−１２７１９４号公報に示されるように、最上位サブフレームの発光を２分割し、それより小さいサブフレームを挟んで配置することが提案されている。
【００１０】
また、前述した中間調表示方法において、動画像部の動きに滑らかさが無く映像品位を損ねているということが、例えば、日本国特開平５−１２７６１２号公報に報告され、また、その改善方法が提案されている。
日本国特開平５−１２７６１２号公報の中間調表示方法は、７０Ｈｚ以下のフレーム周波数の入力画像信号の入力部において、表示装置のフレーム周波数を２倍に上げる手段を設け、この２倍のフレーム周波数を有するフレーム内で、最上位ビットを表示するサブフレームを含む正規ビットを表示する１つ以上の正規ビット用サブフレーム、および、正規ビット未満のビットを表示する１つ以上の非正規ビット用サブフレームを持つように構成している。そして、静止画像部については、２倍のフレーム周波数を有するフレームを２フレーム単位で処理し、また、動画像については、２倍のフレーム周波数を有するフレームを１フレーム単位で中間調を表示するようになっており、さらに、２倍のフレーム周波数を有するフレームの表示データを新たに作成するために入力画像信号に基づいて画像信号（表示信号）を新たに作成するようになっている。
【００１１】
図３は第１のフレームと第２のフレームにおける点灯状態を説明する図である。図３において、参照符号３１は第一フレーム、また、３２は第二フレームを示し、第一および第二のフレーム３１、３２はフレーム周波数が２倍に上げられたフレームを示している。ここで、各フレーム間で同じ輝度の重みに設定されているサブフレームを正規ビット用サブフレームと称し、３１ａ，３１ｂ、３２ａ，３２ｂにより示される。また、それ以外のサブフレームを非正規ビット用サブフレームと称する。
【００１２】
上述した従来技術において、静止画および動きの遅い動画像部の表示では中間調の乱れは改善されるが、動きの速い動画部では中間調の乱れが依然として発生している。この中間調の乱れの発生機構をフレーム内のサブフレーム数が６個で、フレーム内のサブフレーム配列がフレームの先頭側よりＳＦ５，ＳＦ４，ＳＦ３，ＳＦ２，ＳＦ１，ＳＦ０，の場合（６４階調の場合）について、図４〜図７を参照しながら説明する。
【００１３】
図４は従来の中間調表示方法の一例における中間調輝度の乱れの発生原因の一例を説明する図、図５は従来の中間調表示方法の一例における中間調輝度の乱れの発生原因の他の例を説明する図、図６は従来の中間調表示方法の一例における中間調輝度の乱れの発生原因のさらに別の例を説明する図、そして、図７は中間階調レベルが３１から３２に変化する場合におけるサブフレームの分離状態の一例を示す図である。
【００１４】
図４に示されるように、例えば、青色の縦１ラインのＳＦ５を点灯させた表示を右側から左側へスクロールする表示において、１フレーム（フィールド）に１ピクセルを移動させた場合、そのラインがあたかも点灯していない他の色のセルの上を移動しているように見え、スムーズな動きが観測される。このスムーズな動きは、１フレームに移動するピクセルがかなり大きな場合でも観測され、また、この現象は心理学の分野で仮現運動、或いは、β運動と呼ばれている。
【００１５】
次に、青色の縦１ラインのＳＦ５，ＳＦ４を点灯させた表示を１フレームに１ピクセルづつ右側から左側へスクロールさせると、図４に示すようにサブフレームの発光が空間的に分離して表示されるのが観測される。便宜上、ＳＦ５の発光は青色のセル（Ｂ）上に表現されているが、上記したのと同じ理由でそれらの発光は赤色のセル（Ｒ）緑色のセル（Ｇ）上をあたかも移動しているように見える。
【００１６】
これは、例えば、ＳＦ５が点灯してから表示データの書き込み期間の約２msecの時間遅れてＳＦ４が発光した時には、上述した仮現運動により、ＳＦ５の発光はスクロール方向側へ移動し、あたかもＳＦ４の発光がＳＦ５の発光を追いかけているように、人の目が認識してしまうためである。同様に、１フレーム内に全サブフレームを点灯させてスクロールすると、図５に示されるように、１ピクセル内にＳＦ５〜ＳＦ０の発光が空間的に分離して発光しているように見える。
【００１７】
図６は１フレームに２ピクセル移動した場合の観測結果であるが、この場合、実際に発光しているセルの間隔が２ピクセルとなり移動距離が長くなった分だけ、仮現運動で移動する光の速さが大きくなる。従って、例えば、ＳＦ５が発光してから約２msecの時間遅れてＳＦ４が発光した時には、ＳＦ５の発光部はより遠くに移動していることになり、サブフレームの空間的な発光間隔が拡がったように見える。このような観測結果から、仮現運動発生時のサブフレームの空間的な拡がり（分離）は、１フレームの期間に移動したピクセル内に拡がることが判る。
【００１８】
従って、本来同じセルで発光すべき各々のサブフレームの発光が動画像部では異なる場所（セル）で発光することになり、セルの中間調輝度が各サブフレームの和で表現できなくなり、その結果、動画部で中間調輝度に乱れが発生することになる。
具体的な例として、単色のグラディエーション表示を勾配方向にスクロールした場合においては、特定の中間階調レベルの境界部に明線や暗線が発生する。この説明を図７〜図９を参照して行う。
【００１９】
フレーム（フィールド）内のサブフレーム数が６個で、その配列が輝度の重たいものからフレームの先頭側より配置されている表示方法において、表示画面の左側から右側へ中間階調レベルを大きくしていく青色のグラディエーション表示を行い、輝度の高い勾配方向にスクロール、すなわち、右側へスクロールするとサブフレームの点灯数が大きく異なる中間階調レベル間の境界部に暗線が発生する。具体的に、例えば、中間階調レベル３１と３２、１５と１６、７と８等で境界部に暗線が発生する。図７は、１フレーム毎に２ピクセル移動した場合における中間階調レベル３１と３２の境界部に発生する暗線の様子を模式化して表すものである。
【００２０】
図７に示されるように、動画像部では、サブフレームの空間的な分離が発生するため、中間階調レベル３１と３２の境界部で発光していないセルが１ピクセル分生じ、その結果、暗線が発生する。
また、輝度の低い勾配方向にスクロール、すなわち、左側へスクロールすると、図８に示されるように、中間階調レベル３１と３２の境界部は、発光が密で輝度が高くなり、その結果、明線が発生する。なお、図９に示すように、右側へスクロールする場合でも、輝度の低い勾配方向にスクロールすれば、中間階調レベル３１と３２の境界部は、発光が密で輝度が高くなり、明線が発生することになる。
【００２１】
ここで、単色表示や色の無い表示、すなわち、点灯サブフレームがピクセル内で各色同じであれば動画像部に発生する中間調の乱れは明線や暗線として発生し、中間色の表示、すなわち、点灯サブフレームがピクセル内で各色毎に異なると静止時とは異なる色が発生する。
上述の従来技術を適用して動画像を表示した場合に生じる動画偽輪郭（色偽輪郭）の発生機構を、さらに図１０〜図１２を参照して詳述する。
【００２２】
図１０は表示画像をスクロールした状態を示す図であり、図１０（ａ）は左側から右側へ表示画像を１フレーム毎に１画素スクロールした状態を示し、また、図１０（ｂ）は右側から左側へ表示画像を１フレーム毎に１画素スクロールした状態を示している。ここで、図１０（ａ）および図１０（ｂ）において、縦軸は時間ｔを示し、横軸は空間的な位置ｘを示している。また、１Ｆ〜４Ｆはそれぞれフレーム（フィールド）を示している。
【００２３】
図１１は左側から右側へ表示画像をスクロールした時に生じる問題を説明するための図であり、また、図１２は右側から左側へ表示画像をスクロールした時に生じる問題を説明するための図である。
図１０（ａ）に示されるように、中間階調レベル１２８と１２７を隣り合わせて表示した状態で左側から右側方向へ１フレーム毎に１画素移動させると、人間の目は移動物体を追従する性質があるため、網膜上の座標原点は図中の破線矢印（ＲＯＲ）上を移動することになる。この状態を網膜上の座標を固定して、図を書き直したものが図１１（ａ）である。図１１（ａ）における横軸の目盛りは、網膜上の位置を示し、表示画像が１フレーム期間に移動する距離（網膜上の長さ）を１としている。
【００２４】
同様に、図１０（ｂ）に示されるように、中間階調レベル１２８と１２７を隣り合わせて表示した状態が右側から左側方向へ１フレーム毎に１画素移動させると、人間の目は移動物体を追従する性質があるため、網膜上の座標原点は図中の破線矢印（ＲＯＬ）上を移動することになる。この状態を網膜上の座標を固定して、図を書き直したものが図１２（ａ）である。なお、図１２（ａ）における横軸の目盛りは、図１１（ａ）における横軸の目盛りと同様である。
【００２５】
ここで、中間階調レベル１２７は、サブフレームＳＦ０〜ＳＦ６が全て点灯してＳＦ７だけが点灯しない状態であり、また、中間階調レベル１２８は、サブフレームＳＦ０〜ＳＦ６が全て点灯せずにＳＦ７だけが点灯する状態である。また、図１１（ａ）および図１２（ａ）では、説明を簡単にするため、放電セルには面積を持たせていない。
【００２６】
まず、図１１（ｂ）に示されるように、中間階調レベル１２８と１２７を隣り合わせて表示した状態で左側から右側へ表示画像をスクロールすると、網膜上の位置（ｘ）においける輝度Ｋ（ｘ）は、中間階調レベル１２８と１２７の間に間隙が生じることになる。その結果、図１１（ｃ）に示されるように、網膜上の刺激量Ｌ（ｘ）が上記中間階調レベル１２８と１２７の間の間隙で落ち込む（バレーを示す）ことになる。
【００２７】
すなわち、図１１（ｃ）に示されるように、ｘ＝２．５〜３．５，３．５〜４．５，４．５〜５．５のそれぞれの刺激量の積分値をＬ（１），Ｌ（２），Ｌ（３）とすると
Ｌ（１）≒Ｌ（３）＞＞Ｌ（２）
となっていることが判る。すなわち、中間階調レベル１２８と１２７の境界部に暗線ＤＬが発生する。この現象が中間調の乱れの発生機構である。
【００２８】
なお、網膜上の刺激量Ｌ（ｘ）は、以下の式により表される。
【００２９】
【数１】
0004767379.tif 000002
【００３０】
ここで、λは任意の整数を示している。なお、上記の式における積分範囲は、λ−０．５からλ＋０．５までとしたが、この積分範囲の取り方は任意であり、中間調の乱れの生じる範囲にほぼ等しくすることが望ましい。
次に、図１２（ｂ）に示されるように、中間階調レベル１２８と１２７を隣り合わせて表示した状態で右側から左側へ表示画像をスクロールすると、網膜上の位置（ｘ）においける輝度Ｋ（ｘ）は、中間階調レベル１２８と１２７とが連続することになる。その結果、図１２（ｃ）に示されるように、網膜上の刺激量Ｌ（ｘ）が上記中間階調レベル１２８と１２７の境界でピークを示すことになる。
【００３１】
すなわち、図１２（ｃ）に示されるように、ｘ＝２．５〜３．５，３．５〜４．５，４．５〜５．５のそれぞれの刺激量の積分値をＬ（１），Ｌ（２），Ｌ（３）とすると
Ｌ（１）≒Ｌ（３）＜＜Ｌ（２）
となっていることが判る。すなわち、中間階調レベル１２８と１２７の境界部に明線ＢＬが発生する。
【００３２】
これは、色の有る中間階調レベルを移動した場合、例えば、緑色の中間階調レベル１２８と１２７、赤色の中間階調レベル６４のみを右側から左側へ移動した場合には、緑色の中間階調レベル境界部には暗線が発生するが、赤色は中間階調レベルの境界が存在しないため一定の輝度レベル（階調レベル）を示すことになる。すなわち、人は、各色を合成した結果を認識するため、緑色の暗線部は赤色が目立って、色の輪郭が発生する。
【００３３】
上記現象は、特に滑らかに中間階調レベルが変化している肌色部分に顕著に発生し、それは人が振り返る映像における頬部分に赤や緑の輪郭（色偽輪郭）を発生することになる。
すなわち、例えば、プラズマディスプレイパネル（ＰＤＰ）では、動画を表示すると目の残像効果により画像に乱れが発生する。この乱れは、通常顔の輪郭部等に特に顕著に現れるため、動画偽輪郭と呼ばれ、ＰＤＰの画質劣化の大きな原因となっている。今現在は、動画偽輪郭を目立たなくする手法として階調数を落とし、さらに重ね合わせ処理を行っている。そして、上記処理により少なくなった階調数を、誤差拡散処理を行うことで擬似的に２５６階調に引き上げている。しかし、これらの方式を用いると自然な映像表現を行うことができないため、低階調部まで自然な映像表現をするには、階調数を落とすことなく動画偽輪郭を低減する必要がある。
【００３４】
そこで、本発明者達は、日本国特開平１０−３９８２８号公報において、各々の画素の階調レベルが変化する場合、該変化の状態に従って各画素に予め定められた輝度調整のための発光ブロック（等化パルス）を加え、或いは、減ずるようにした中間調表示方法および表示装置を提案した。
【００３５】
【発明が解決しようとする課題】
図１３は日本国特開平１０−３９８２８号公報で提案した従来の中間調表示方法を説明するための図である。
図１３（ａ）は表示階調が１２７レベルから１２８レベルに変化するときの、放電セルの発光状態Ｉ（ｔ）を示し、横軸ｔは時間を示している。この図１３（ａ）に示されるように、初めの２フレーム（フィールド：１Ｆ，２Ｆ）は１２７レベルで、次の２フレーム（３Ｆ，４Ｆ）は１２８レベルとなっている。
【００３６】
この発光状態Ｉを人間の目で観測すると、網膜刺激強度Ｐ（ｔ）は、図１３（ｂ）のようになる。網膜刺激強度Ｐは、１２７レベルを表示している期間はＰ１とＰ２の間で周期的に変化するが、１２８レベルを表示するフレーム（３Ｆ）の初めでは、この値はＰ２よりも低くなってしまう。さらに、１２８レベルのフレーム（４Ｆ，・・・）が十分に長く続くと、刺激強度は再びほぼＰ１とＰ２の間における振動へ戻る。
【００３７】
この網膜刺激強度Ｐが一時的に低くなる現象のため、目には中間調が乱れて観測される。視認される強度Ｂ（ｔ）は網膜を刺激する強度Ｐ（ｔ）を残像程度の時間で積分したものであり、ほぼ図１３（ｃ）のようになる。図中、もしＳ１＜Ｓ２＜Ｓ３の関係が満足されていれば、中間調の乱れは観測されない。しかしながら、図１３（ｃ）は明らかにこの関係を満足していない。この場合、階調の境目は原画像よりも暗く表れる。ここで、強度ΔＳをＳ２に補充し、Ｓ１＜Ｓ２＋ΔＳ＜Ｓ３とすれば、中間調に乱れは生じない。
【００３８】
そこで、日本国特開平１０−３９８２８号公報で提案した中間調表示方法では、発光強度が図１３（ｄ）で表わされる等化パルスＥＰを加える。この等化パルスＥＰによる網膜刺激強度Ｐ（ｔ）を図１３（ｅ）に示し、視認される強度Ｂ（ｔ）を図１３（ｆ）に示す。このような等化パルスＥＰを加えた結果の発光強度Ｉ（ｔ）、網膜刺激強度Ｐ（ｔ）、および、視認される強度Ｂ（ｔ）をそれぞれ図１３（ｇ）、図１３（ｈ）、および、図１３（ｉ）に示す。
【００３９】
図１３（ｃ）と図１３（ｉ）の比較から明らかなように、等化パルスＥＰを加える（ＥＰＡ）ことにより、視認される発光強度の乱れが減少していることが判る。ここで、挿入する等化パルスＥＰは、負の場合（ＥＰＳ）も有り得る。このときは発光ブロックの幅を狭くして、輝度を減らすことになる。
このような等化パルスの挿入は、例えば、図１４に示す回路により実現される。
【００４０】
図１４は従来の輝度調整用発光ブロック挿入回路の一例を示すブロック図である。図１４において、参照符号３１０は１垂直同期期間（１Ｖ）の遅延を与えるためのフレームメモリ、４００は輝度調整用発光ブロック追加回路、４１０は等化パルス判別回路、そして、４２０は等化パルス追加回路を示している。
図１４に示す輝度調整用発光ブロック挿入回路において、等化パルス判別回路４１０は、比較回路（比較部）４１０ａおよびルックアップテーブル（ＬＵＴ：ＲＯＭ）４１０ｂにより構成され、また、等化パルス追加回路４２０は加算部（加算回路）として構成されている。比較部４１０ａは、第ｎフレームのビットデータと該第ｎフレームの次の第ｎ＋１フレームのビットデータとを比較し、該ビットデータが点灯から非点灯になったビットに対しては“＋１”、非点灯から点灯になったビットに対しては“−１”、そして、両フレーム間でデータの変化が無かったビットに対しては“０”を出力するようになっている。
【００４１】
ＬＵＴ４１０ｂは、例えば、予め所定のデータが書き込まれたＲＯＭとして構成され、比較部４１０ａの出力に応じて、予め定められた（予め書き込まれた）等化パルスを発生する。このＬＵＴ４１０ｂから出力される等化パルスは正負の符号を有している。
加算部４２０は、原信号（表示データ２１０）に対して等化パルス（正負の符号付）を加算し（等化パルスが負の場合には、減ずることになる）、等化パルス加減後の表示信号（２２０）を出力するようになっている。
【００４２】
日本国特開平１０−３９８２８号公報において提案した従来の中間調表示方法（等化パルス法）は、目に入力する全光束が原信号と等しくなるという点では優れている。すなわち、図１３（ｉ）におけるＳ２＋ΔＳの区間は、視認される強度に時間的増減はあるものの、総量はＳ１或いはＳ３とほぼ等しくなる。従って、表示画像をディスプレイ装置（ＰＤＰ画面）から十分離れて見れば、中間調の乱れは視認できず、中間調輝度の乱れが改善されることになる。
【００４３】
ところで、上記の『全光束が原信号と等しい』という内容は、静止画像に対しても動画像に対しても正しいが、動きの速い画像に対して視認される強度の空間的非一様性が激しくなると、必ずしも満足できる画質が得られない。
そこで、本発明者達は、日本国特開平１０−１３３６２３号公報において、移動速度の大きい動画像における映像の動画色偽輪郭を改善することができる中間調表示方法および表示装置を提案した。すなわち、日本国特開平１０−１３３６２３号公報において提案した中間調表示方法によれば、各々の画素における特定の発光ブロックの点灯パターンが連続するフレーム或いはフィールド間において変化する場合、該点灯パターンのフレーム或いはフィールド間変化と等しい変化をする画素が表示画面上で直線的に連続する数が算定される。さらに、連続する画素を挟む２つの画素のフレーム或いはフィールド内での点灯ブロックの状態が検出され、この連続する画素数、連続する画素を挟む２つの画素の状態および点灯パターンのフレーム或いはフィールド間変化の状態に従って予め定められた輝度調整用発光ブロックが選択される。そして、この選択された輝度調整用発光ブロックが連続する画素の原信号に加え、或いは、減ずるようにされる。
【００４４】
図１５〜図１８はこの日本国特開平１０−１３３６２３号公報で提案した従来の中間調表示方法（動き補償等化パルス法）の一例を説明するための図であり、正の重み付け等化パルスＥＰＡを付加する場合を示すものである。ここで、図１５〜図１８の説明は、前述した図１に示す１フレームを８ビットのサブフレームＳＦ０〜ＳＦ７に分割して階調表示を行う点灯シーケンスを前提としている。
【００４５】
図１５は、画像を右側から左側方向へ３画素／フレームの速度で移動する場合を示し、縦軸は時間ｔ（フレーム時間：１Ｆ，２Ｆ，３Ｆ）を示し、横軸はディスプレイパネルの水平ライン上での位置Ｘ（画素Ａ，Ｂ，Ｃ，・・・，Ｐ）を示している。なお、説明を簡略化するために、ここでは単色表示を考えるが、カラー表示の場合は各々の色（Ｒ，Ｇ，Ｂ）について考え、これらを加え合わせればよい。また、画素の面積は十分小さいとしている。
【００４６】
図１５において、縦線は各画素の発光状態を示し、第１フレーム（０≦ｔ＜１Ｆ）では画素Ａ〜ＣおよびＰは非発光、画素Ｄ〜Ｉは階調レベル１２７（１２７階調レベル）で発光し、そして、画素Ｊ〜Ｏは階調レベル１２８（１２８階調レベル）で発光している。従って、このフレームの前半では画素Ｄ〜Ｉが、後半では画素Ｊ〜Ｏが発光する。第２フレーム（１Ｆ≦ｔ＜２Ｆ）では、画素Ａ〜Ｆが１２７階調レベルで発光し、画素Ｇ〜Ｌは１２８階調レベルで発光するため、第２フレームの前半では画素Ａ〜Ｆが発光し、そして、後半では画素Ｇ〜Ｌが発光する。以下、同様な発光パターンが続くものとする。
【００４７】
パネル内の全水平ラインに同一のパターンを表示すると、目には縦に長いベルトパターンが見える。このベルトの左半分の６画素は１２７階調レベル、右半分の６画素は１２８階調レベルで発光しており、さらに、該パターンは１フレーム当たり３画素（３画素／フレーム）の速度で右側から左側方向へ移動している。発光の位置および時間的変化は離散的ではあるが、目はこれをスムーズな動きとして捕え、網膜の中心は、このベルトパターンを追うことになる。
【００４８】
図１６（ａ）において、横軸は網膜上に固定した位置座標ｘをとっている。画像が右側から左側方向へ移動する場合には、目がパターンを追うため、網膜上に投影される画素は相対的に網膜上を左側から右側方向へ移動する。従って、図１６（ａ）では、右下がりの直線上を動くことになる。図１６（ａ）において、左側は１２７階調レベルであり、また、右側は１２８階調レベルである。ここで、図１６（ａ）の上部に示した画素記号Ａ〜Ｐは、時間ｔ＝０のときの位置であり、時間と共に左側から右側方向へ移動する。
【００４９】
図１６（ｂ）は、網膜が認識する発光強度の場所的変化を示すものであり、時間ｔ＝０．５Ｆと１．５Ｆの間（１フレーム分の長さに対応）の発光を積分したものである。なお、以下の図１７および図１８等においても同様である。
図１６（ｂ）に示されるように、１２７階調レベルと１２８階調レベルの間には、暗い発光部ＤＰが表れる。この時間の範囲では画素Ｇ，ＨおよびＩの３画素が、第１フレームと第２フレームの間で１２７階調レベルから１２８階調レベルに移行するため、全く発光しない期間が１フレーム（ＤＤ）生じることになる。これが、暗い発光部ＤＰが発生する原因である。
【００５０】
従って、３つの画素（Ｇ，Ｈ，Ｉ）に等化パルスを加える必要がある。図１７（図１７（ａ))は、本発明者達が日本国特開平１０−３９８２８号公報において提案した従来の中間調表示方法（等化パルス法）に対応するものであり、画素Ｇ，Ｈ，Ｉに対して、それぞれの原信号に等化パルス（正の重み付け等化パルス）ＥＰＡを重畳した例を示している。ここで、等化パルスＥＰＡの大きさは、図１３を参照して説明したように、例えば、輝度レベル６３（階調レベル６３）と計算される。
【００５１】
図１７（ｂ）と図１６（ｂ）との比較から明らかなように、図１７（ｂ）のように等化パルスＥＰＡを加えることにより、網膜が認識する発光強度は図１６（ｂ）に比べると、改善されることが判る。特に、１２７或いは１２８の輝度レベル（階調レベル）と比較して明るすぎる量と暗すぎる量とが相殺しているため、ディスプレイパネルから十分離れた位置から表示画像を観測すると、中間調の乱れは視認できなくなる。
【００５２】
しかしながら、パネルを近くから観察すると、輝度の増減は視認され、さらに、図１５〜図１８のシミュレーション結果を参照して説明したように、画像（画素）の移動速度が３画素／フレームからさらに大きい場合（４画素／フレーム、或いは、５画素／フレーム等の場合）には、この輝度の増減はさらに目立つことになる。
【００５３】
図１８は本発明の中間調表示方法により等化パルスに重み付けをした一実施例を示すものであり、正の重み付け等化パルスＥＰＡを付加する場合を示すものである。
図１８（ａ）に示されるように、本実施例では、画素Ｇに対して階調レベル１２７の等化パルスＥＰＡ１を付加し、画素Ｈに対して階調レベル６３の等化パルスＥＰＡ２を付加し、そして、画素Ｉに対して階調レベル０の等化パルスＥＰＡ３を付加する（すなわち、画素Ｉには等化パルスを付加しない）ようになっている。これらの等化パルスの総量（ＥＰＡ１＋ＥＰＡ２＋ＥＰＡ３＝１２７＋６３＋０＝１９０）は、図１７で加えた等化パルスの総量（３・ＥＰＡ＝１８９）とほぼ等しくなるように設定されている。
【００５４】
図１８（ｂ）に示されるように、網膜が認識する発光強度は図１７（ｂ）に比べてさらに改善されることが判る。
ところで、近年、サブフレームの点灯シーケンスとして、前述した図１に示すような輝度の重みの比を２0 ，２1 ，２2 ，・・・２N-1 とした複数の発光ブロックＳＦ０，ＳＦ１，ＳＦ２，・・・，ＳＦ（Ｎ−１）で構成するものに対して、輝度の重みの大きい（例えば、最も輝度の重みの大きい）発光ブロックを複数設けて、１つの階調表示を複数通りのサブフレーム（発光ブロック）の組み合わせで表現するようにしたものが主流になりつつある。
【００５５】
図１９は本発明が対象とする従来の各サブフレームの点灯シーケンスの一例を示す図であり、上記の１つの階調表示を複数通りのサブフレームの組み合わせで表現することができるものである。
図１９に示されるように、１フレーム（１フィールド）は１０個（Ｎ＝０〜９）のサブフレーム（発光ブロック）で構成され、輝度の重みの小さい方からＳＦ０，ＳＦ１，・・・，ＳＦ９となっている。ここで、最も輝度の重みの大きい発光ブロックは、ＳＦ６，ＳＦ７，ＳＦ８，ＳＦ９の４つあり、それぞれ４８階調レベル（階調レベル４８：輝度レベル４８）とされている。なお、以下の記載において、これら４８階調レベルの発光ブロックＳＦ６，ＳＦ７，ＳＦ８，ＳＦ９をそれぞれＤ１，Ｄ２，Ｄ３，Ｄ４とも記載する。
【００５６】
図１９の点灯シーケンスでは、図１の点灯シーケンスにおける重みの大きい２つの発光ブロック（最上位側の２ビット）ＳＦ６およびＳＦ７の階調レベルの和（６４＋１２８＝１９２）を、最も重みの大きい４８階調レベルの４つの発光ブロックＳＦ６，ＳＦ７，ＳＦ８，ＳＦ９（４８＋４８＋４８＋４８＝１９２）としたものである。なお、図１９の点灯シーケンスにおける発光ブロックＳＦ０〜ＳＦ５は、図１の点灯シーケンスにおける発光ブロックＳＦ０〜ＳＦ５に対応している。
【００５７】
図２０は図１９に示す点灯シーケンスにおける課題を説明するための図である。図２０において、横軸は網膜上に固定した位置座標ｘを示し、また、縦軸は時間ｔを示している。なお、縦軸ｔにおける０および１Ｆは、ある時点のフレーム（フィールド）における画像（０）および次のフレームにおける画像（１Ｆ）を示している。また、参照符号ＡＡは４８階調レベルの発光ブロック（最も輝度の重みの大きい発光ブロック）を２つ（Ｄ１，Ｄ２）使用して階調表示を行う場合を示し、さらに、参照符号ＢＢは４８階調レベルの発光ブロックを３つ（Ｄ１，Ｄ２，Ｄ３）使用して階調表示を行う場合を示している。すなわち、１５９−ＡＡは、４８階調レベルの発光ブロックを２つ使用して１５９階調レベルを表示する画素を示し、また、１６０−ＢＢは、４８階調レベルの発光ブロックを３つ使用して１６０階調レベルを表示する画素を示している。
【００５８】
ところで、図１５〜図１８を参照して説明した中間階調表示方法（動き補償等化パルス法）は、連続した２フレーム間の画素の輝度を比較し、ビット変化のある画素に対して重みを付けた等化パルスを重畳することによって、偽輪郭の低減を図るものである。この従来の中間階調表示方法は、階調が滑らかに増加する場合や減少する場合には有効なものであるが、階調が微細に変化する場合には有効なものとはいえなかった。
【００５９】
すなわち、図２０に示されるように、階調が１５９レベルの中に１画素だけ１６０レベルがあり、例えば、像が右側から左側方向へ３画素／フレームの速度で移動する場合、画素ｅは１６０階調レベルから１５９階調レベルに変化し、また、画素ｂは１５９階調レベルから１６０階調レベルに変化することになる。
ここで、１５９階調レベルは、理論的には、ＳＦ０〜ＳＦ５および２つの４８階調レベル（ＳＦ６〜ＳＦ９の内の２つ：例えば、ＳＦ６，ＳＦ７（Ｄ１，Ｄ２))により表示（１＋２＋４＋８＋１６＋３２＋４８＋４８＝１５９）することができるが、ＳＦ０〜ＳＦ４および３つの４８階調レベル（ＳＦ６〜ＳＦ９の内の３つ：例えば、ＳＦ６，ＳＦ７，ＳＦ８（Ｄ１，Ｄ２，Ｄ３))により表示（１＋２＋４＋８＋４８＋４８＋４８＝１５９）することもできる。すなわち、１５９階調レベルは、最も輝度の重みの大きい発光ブロック（４８階調レベル）を２つまたは３つ使用することで、１つの階調表示を２通りのサブフレームの組み合わせ（最も輝度の重みの大きい発光ブロックの使用個数の選択が２通り）で表現することができる。なお、最も輝度の重みの大きい４つの発光ブロックＤ１〜Ｄ４（ＳＦ６〜ＳＦ９）における組み合わせを考え合わせると１０通りの表現となる。
【００６０】
これに対して、１６０階調レベルは、ＳＦ１〜ＳＦ４および３つの４８階調レベル（ＳＦ６〜ＳＦ９の内の３つ：例えば、ＳＦ６，ＳＦ７，ＳＦ８（Ｄ１，Ｄ２，Ｄ３))により表示（１６＋４８＋４８＋４８＝１６０）することができる。すなわち、１６０階調レベルは、最も輝度の重みの大きい発光ブロック（４８階調レベル）を必ず３つ使用しなければならず、その発光ブロックの組み合わせも１通りに限定される。
【００６１】
しかしながら、従来技術においては、例えば、１５９階調レベルを表示する場合には最も重みの大きい発光ブロック（４８階調レベル）の数を最小限（２つ）として行うようになっており、論理的には、２通りの表現が可能（最も重みの大きい発光ブロックの使用個数の選択が２通り可能）であってもそれを有効に利用しようとする発想そのものが存在しなかった。
【００６２】
すなわち、従来技術においては、図２０に示されるように、画素ｂに対して、１つの４８階調レベルの発光ブロック（Ｄ）がＯＦＦからＯＮになるため、正の等化パルスを加え、一方、画素ｅに対しては、１つの４８階調レベルの発光ブロック（Ｄ）がＯＮからＯＦＦになるため、負の等化パルスを加えて中間階調を表示するようになっていた。しかしながら、階調変化が滑らかな場合、すなわち、同一の最も重みの大きい発光ブロックが変化するピッチ（画素数）が、１フレーム間の画像移動距離より大きければ、等化パルスを加える画素の数は移動速度と等しくなるため、正しい動き補償が可能であるが、図２０に示すような微細なパターンに対しては、正確な速度検出をすることが困難となり、例えば、移動速度を１画素／フレームと検出してしまい、その結果、乱れの低減が不十分となっていた。
【００６３】
本発明は、上述した従来の中間調表示技術が有する課題に鑑み、１つの階調表示を複数通りのサブフレーム（発光ブロック）の組み合わせで表現することができる冗長性を持った点灯シーケンスを利用する場合に、その冗長性を積極的に活用して映像の動画偽輪郭（色偽輪郭）の発生そのものを低減することのできる中間調表示方法および表示装置の提供を目的とする。
【００６４】
【課題を解決するための手段】
本発明の第１の形態によれば、画像を表示するために各々のフレーム或いはフィールド内に予め定められた複数の発光ブロックを有し、１つの階調レベルを複数通りの発光ブロックの組み合わせで表示する中間調表示方法であって、任意の第１の画素の階調表示に使用する発光ブロックを定めるに当り、該第１の画素に近接する第２の画素における発光ブロックの使用状況から該第１の画素が使用する発光ブロックを予め定められた手順により選択するようにしたことを特徴とする中間調表示方法が提供される。
【００６５】
本発明の第２の形態によれば、画像を表示するために各々のフレーム或いはフィールド内に予め定められた複数の発光ブロックを有し、１つの階調レベルを複数通りの発光ブロックの組み合わせで表示する表示装置であって、画像表示部と、該画像表示部を駆動する駆動手段と、該駆動手段を制御する制御手段と、発光ブロックを選択すると共に原信号に対して輝度調整用発光ブロックを挿入する発光ブロック選択および輝度調整用発光ブロック挿入手段を備え、該発光ブロック選択および輝度調整用発光ブロック挿入手段は、任意の第１の画素の階調表示に使用する発光ブロックを定めるに当り、該第１の画素に近接する第２の画素における発光ブロックの使用状況から該第１の画素が使用する発光ブロックを予め定められた手順により選択するようになっていることを特徴とする表示装置が提供される。
【００６６】
本発明の第３の形態によれば、画像を表示するために各々のフレーム或いはフィールド内に予め定められた複数の発光ブロックを有し、１つの階調レベルを複数通りの前記発光ブロックの組み合わせで表示し得る中間調表示方法であって、任意の第１の画素の階調表示に使用する発光ブロックを定めるに当り、該第１の画素の周囲少なくとも２つ以上の参照画素における発光ブロックの使用状況から該第１の画素が使用する発光ブロックを予め定められた手順により選択するようにしたことを特徴とする中間調表示方法が提供される。
【００６７】
本発明の第４の形態によれば、画像を表示するために各々のフレーム或いはフィールド内に予め定められた複数の発光ブロックを有し、１つの階調レベルを複数通りの前記発光ブロックの組み合わせで表示し得る表示装置であって、画像表示部と、該画像表示部を駆動する駆動手段と、該駆動手段を制御する制御手段と、発光ブロックを選択すると共に原信号に対して輝度調整用発光ブロックを挿入する発光ブロック選択および輝度調整用発光ブロック挿入手段を備え、該発光ブロック選択および輝度調整用発光ブロック挿入手段は、任意の第１の画素の階調表示に使用する発光ブロックを定めるに当り、該第１の画素の周囲少なくとも２つ以上の参照画素における発光ブロックの使用状況から該第１の画素が使用する発光ブロックを予め定められた手順により選択するようになっていることを特徴とする表示装置が提供される。
【００６８】
本発明は、微細なパターンに対しても、動き補償等化パルス法を効果的に適用できるように予め発光ブロックの選択を調整するものであり、１つの階調表示を複数通りの発光ブロックの組み合わせで表現することができる冗長性を持った点灯シーケンスを利用するものに適用される。すなわち、本発明は、１フレーム（１フィールド）を複数の発光ブロックで構成し、その発光ブロックのうち輝度の重みの大きい発光ブロック（最も輝度の重みの大きい発光ブロック）が複数設けられている点灯シーケンスを利用した中間調表示方法および表示装置に適用される。
【００６９】
具体的に、本発明は、例えば、前述した図１９に示すような１フレームを１０個（Ｎ＝０〜９：ＳＦ０〜ＳＦ９）の発光ブロックで構成し、最も輝度の重みの大きい発光ブロック（ＳＦ６〜ＳＦ９：中間調ビットデータｂ６〜ｂ９）を４つとした点灯シーケンスを利用した中間調表示方法および表示装置に適用される。なお、この点灯シーケンスにおける各発光ブロック（ＳＦ０〜ＳＦ９）の階調レベルは、１（ＳＦ０），２（ＳＦ１），４（ＳＦ２），８（ＳＦ３），１６（ＳＦ４），３２（ＳＦ５），４８（ＳＦ６：Ｄ１），４８（ＳＦ７：Ｄ２），４８（ＳＦ８：Ｄ３），４８（ＳＦ９：Ｄ４）となる。
【００７０】
この図１９に示すような点灯シーケンスに対して、次の表１に示すように、画素Ａ（第１の画素）または画素Ｂ（第２の画素）の階調レベルＬ（輝度レベル：０〜２５５）を９個のグループに分ける。
【００７１】
【表１】
0004767379.tif 000003
【００７２】
上記の表１に示されるように、階調レベル（Ｌ）０〜２５５は、Ｌ＝０〜４７のグループ１（Ｇ＝１），Ｌ＝４８〜６３のグループ２（Ｇ＝２），Ｌ＝６４〜９５のグループ３（Ｇ＝３），Ｌ＝９６〜１１１のグループ４（Ｇ＝４），Ｌ＝１１２〜１４３のグループ５（Ｇ＝５），Ｌ＝１４４〜１５９のグループ６（Ｇ＝６），Ｌ＝１６０〜１９１のグループ７（Ｇ＝７），Ｌ＝１９２〜２０７のグループ８（Ｇ＝８），および，Ｌ＝２０８〜２５５のグループ９（Ｇ＝９）の９個のグループに分割される。
【００７３】
ここで、グループ２，４，６，８（グループ番号Ｇ＝２，４，６，８）については、階調レベル４８を、中間調ビットデータｂ４（ＳＦ４：階調レベル１６）および中間調ビットデータｂ５（ＳＦ５：階調レベル３２）を用いて表現する第１の表現と、１個の４８発光ブロックＤ（中間調ビットデータｂ６〜ｂ９（ＳＦ６〜ＳＦ９またはＤ１〜Ｄ４）の内の１つ）で表現する第２の表現の２通りがある。
【００７４】
本発明においては、最も輝度の重みの大きい発光ブロック（階調レベル４８の発光ブロックＤ：Ｄ１，Ｄ２，Ｄ３，Ｄ４）の選択（組み合わせ）に関して、次のような手順を用いる。以下の説明において、注目する任意の画素（第１の画素）を画素Ａとし、その画素Ａに隣接する画素（第２の画素）を画素Ｂとし、これら画素Ａおよび画素Ｂのグループ番号（Ｇ）をＧＡおよびＧＢとする。
【００７５】
まず、画素Ａのグループ番号ＧＡを、前記の表１に従って決める。次に、画素Ａが使用する輝度の重みの大きい発光ブロックＤ（最も輝度の重みの大きい階調レベル４８の発光ブロックＤ１〜Ｄ４）の数を定めるために、当該画素Ａのグループ番号ＧＡと左隣りの画素Ｂのグループ番号ＧＢとを比較する。そして、画素Ａのグループ番号ＧＡと左隣りの画素Ｂのグループ番号ＧＢとの比較結果に応じて、当該画素Ａの発光ブロックＤ（最も輝度の重みの大きい階調レベル４８の発光ブロック）の選択数（アレンジ）を決定する。
【００７６】
具体的に、例えば、画素Ａおよび画素Ｂが共にグループ４に属している場合（ＧＡ＝ＧＢ＝４）、左隣りの画素Ｂが表１における第１の表現により表されているとき（１つの発光ブロックＤが使用されているとき）、画素Ａも１つの発光ブロックＤを使用する第１の表現を用いて階調レベルの表示を行う。
また、左隣りの画素Ｂのグループ番号ＧＢが画素Ａのグループ番号ＧＡよりも小さいとき（ＧＢ＜ＧＡ）、具体的に、例えば、左隣りの画素Ｂのグループ番号が３（ＧＢ＝３）で画素Ａのグループ番号が４（ＧＡ＝４）のとき、画素Ａは、表１における第１の表現により決められた数の発光ブロックＤ（１つの発光ブロック）を使用して階調レベルの表示が行われる。
【００７７】
そして、左隣りの画素Ｂのグループ番号ＧＢが画素Ａのグループ番号ＧＡよりも大きいとき（ＧＢ＞ＧＡ）、例えば、左隣りの画素Ｂのグループ番号が５（ＧＢ＝５）で画素Ａのグループ番号が４（ＧＡ＝４）のとき、画素Ａは、表１における第２の表現により決められた数の発光ブロックＤ（２つの発光ブロック）を使用して階調レベルの表示が行われる。
【００７８】
以上の処理をまとめると、任意の画素Ａは、次の各式により規定される最も輝度の重みの大きい発光ブロックＤの数を使用してその階調レベルが定められることになる。
ＧＢ＜ＧＡの場合……第１の表現
ＧＢ＝ＧＡの場合……左隣りの画素Ｂと同一の表現
ＧＢ＞ＧＡの場合……第２の表現
ここで、画像の一番左端の画素Ａに対する左隣りの画素Ｂは、実際には存在しないが、グループ番号を０と仮定し、また、使用する発光ブロックＤの数を０と仮定する。なお、例えば、画素Ａ（第１の画素）が一番左上の画素なら前のフレームの同じ位置の画素と比較し、画素Ａがそれ以外の左端の画素ならば当該画素Ａの上方向の画素と比較するように構成してもよい。また、画素Ｂ（第２の画素）が表示画面上に存在しないとき、この画素Ｂのグループ番号は０に限定されず任意のもの（例えば、９）と仮定することもできる。さらに、発光ブロック（階調レベル）Ｄは、輝度の重みが最大のものに限定されず、例えば、発光シーケンスにおける輝度の重みが２番目に大きいものであってもよい。ただし、そのときは、この輝度の重みが２番目に大きい発光ブロックが複数個あり、１つの階調レベルを表示するのに複数の表現が存在する必要がある。
【００７９】
次に、最も輝度の重みの大きい階調レベル４８の発光ブロックＤとして、４つの発光ブロックＤ１〜Ｄ４の内のどれを用いるかを次の表２により決める。ここで、表２において、『０』は消灯を示し、また、『１』は点灯を示している。従って、例えば、４つの発光ブロックＤ１〜Ｄ４のアレンジ（設定）が（Ｄ１，Ｄ２，Ｄ３，Ｄ４）＝（０１０１）と表現されるのは、最も輝度の重みの大きい階調レベル４８の発光ブロックＤを２つ点灯する場合で、発光ブロックＤ２およびＤ４を点灯し、且つ、発光ブロックＤ１およびＤ３を消灯するときである。
【００８０】
【表２】
0004767379.tif 000004
【００８１】
上記の表２に示されるように、例えば、画素Ａに対して、その左隣りの画素Ｂの階調レベルを表示するための発光ブロックＤのアレンジが（００００）の場合、画素Ａの階調レベルを表示するために使用する発光ブロックＤの数が２つであれば、その画素Ａにおける発光ブロックＤのアレンジは（Ｄ１，Ｄ２，Ｄ３，Ｄ４）＝（１１００）となる。また、例えば、左隣りの画素Ｂの階調レベルを表示するための発光ブロックＤのアレンジが（０１１１）の場合、画素Ａの階調レベルを表示するために使用する発光ブロックＤの数が３つであれば、その画素Ａにおける発光ブロックＤのアレンジは（Ｄ１，Ｄ２，Ｄ３，Ｄ４）＝（０１１１）となる。さらに、例えば、左隣りの画素Ｂの階調レベルを表示するための発光ブロックＤのアレンジが（１０１１）の場合、画素Ａの階調レベルを表示するために使用する発光ブロックＤの数が２つであれば、その画素Ａにおける発光ブロックＤのアレンジは（Ｄ１，Ｄ２，Ｄ３，Ｄ４）＝（００１１）となる。すなわち、左隣りの画素Ｂの階調レベルを表示するための発光ブロックＤのアレンジができるだけ変化しないように、画素Ａの階調レベルを表示するために使用する発光ブロックＤのアレンジを決めるようになっている。
【００８２】
ここで、例えば、左隣りの画素Ｂの発光ブロックＤのアレンジが（１０１１）の場合、画素Ａの階調レベルを表示するために使用する発光ブロックＤの数が２つのとき、その画素Ａにおける発光ブロックＤのアレンジを（Ｄ１，Ｄ２，Ｄ３，Ｄ４）＝（００１１）とせずに、（Ｄ１，Ｄ２，Ｄ３，Ｄ４）＝（１００１）または（Ｄ１，Ｄ２，Ｄ３，Ｄ４）＝（１０１０）と変化する発光ブロックＤを最小限（１つ）になるように決めることもできる。
【００８３】
以上の手順により、表示画面の全ての画素の発光パターンが決まる。このように、本発明によれば、１つの階調表示を複数通りの発光ブロックの組み合わせで表現することができる冗長性を持った点灯シーケンスを利用する場合に、その冗長性を積極的に活用して映像の動画偽輪郭（色偽輪郭）の発生そのものを低減することができ、また、例えば、日本国特開平１０−１３３６２３号公報で提案した動き補償等化パルス法を有効に適用して表示画像の品質を向上させることができる。
［備考］
１．  画像を表示するために各々のフレーム或いはフィールド内に予め定められた複数の発光ブロックを有し、１つの階調レベルを複数通りの前記発光ブロックの組み合わせで表示し得る中間調表示方法であって、
任意の第１の画素の階調表示に使用する発光ブロックを定めるに当り、該第１の画素に近接する第２の画素における発光ブロックの使用状況から該第１の画素が使用する発光ブロックを予め定められた手順により選択するようにしたことを特徴とする中間調表示方法。
【００８４】
２．  項目１に記載の中間調表示方法において、
前記第２の画素は、前記第１の画素と同一の色を発生し、且つ、前記第１の画素の左，右，上，或いは，下方向に最も近接する画素であることを特徴とする中間調表示方法。
３．  項目２に記載の中間調表示方法において、
前記第２の画素が表示画面上に存在しないとき、該第２の画素の表示階調を任意の値の一定のレベルとしたことを特徴とする中間調表示方法。
【００８５】
４．  項目１〜３のいずれか１項に記載の中間調表示方法において、
前記各々のフレーム或いはフィールド内に予め定められた複数の発光ブロックは、最も輝度の重みの大きい発光ブロックを複数個含むように冗長を持たせて構成されていることを特徴とする中間調表示方法。
５．  項目４に記載の中間調表示方法において、
前記第１の画素における最も輝度の重みの大きい発光ブロックの使用を、前記第２の画素における最も輝度の重みの大きい発光ブロックの使用状況から決めるようにしたことを特徴とする中間調表示方法。
【００８６】
６．  項目５に記載の中間調表示方法において、
前記第１の画素における最も輝度の重みの大きい発光ブロックの使用個数を、前記第２の画素における最も輝度の重みの大きい発光ブロックの使用個数から決めるようにしたことを特徴とする中間調表示方法。
７．  項目６に記載の中間調表示方法において、
前記最も輝度の重みの大きい発光ブロックの使用可能個数により全ての階調レベルをグループ分けし、
前記第１および第２の画素が表示する階調レベルに対して該グループ分けした階調レベルに応じてグループ番号を与え、
該第１および第２の画素に与えられたグループ番号を比較して、当該第１の画素の階調レベルを、前記複数通りの発光ブロックの組み合わせの内から１つ選択して表示するようにしたことを特徴とする中間調表示方法。
【００８７】
８．  項目７に記載の中間調表示方法において、
前記各画素の表示階調は、前記最も輝度の重みの大きい発光ブロックの使用個数が少ない第１の表現と前記最も輝度の重みの大きい発光ブロックの使用個数が多い第２の表現の２通りで表すことができるようになっており、
前記第１の画素における最も輝度の重みの大きい発光ブロックの使用個数を、該第１の画素のグループ番号ＧＡと前記第２の画素のグループ番号ＧＢを比較して次の式により決めるようにしたことを特徴とする中間調表示方法。
【００８８】
ＧＢ＜ＧＡの場合……第１の表現
ＧＢ＝ＧＡの場合……第２の画素と同一の表現
ＧＢ＞ＧＡの場合……第２の表現
９．  項目６に記載の中間調表示方法において、
前記最も輝度の重みの大きい全ての発光ブロックにおいて、前記第１の画素が使用する最も輝度の重みの大きい発光ブロックの選択条件を、前記第２の画素が使用する最も輝度の重みの大きい発光ブロックの使用条件に応じて決めるようにしたことを特徴とする中間調表示方法。
【００８９】
10．  項目６〜９のいずれか１項に記載の中間調表示方法において、
連続するフレーム或いはフィールド間で、前記第１の画素における前記最も輝度の重みの大きい発光ブロックのいずれかの使用状態が変化するとき、
該第１の画素における最も輝度の重みの大きい発光ブロックの変化と等しい変化を示す画素が表示画面上で直線的に連続する数を検出し、
該検出された連続する画素数、および、前記第１の画素における最も輝度の重みの大きい発光ブロックの変化に応じて、予め定められた輝度調整用発光ブロックを選択し、
該選択された輝度調整用発光ブロックを、前記連続する画素の原信号に与えるようにしたことを特徴とする中間調表示方法。
【００９０】
11.   項目１０に記載の中間調表示方法において、
前記輝度調整用発光ブロックを原信号に与える画素を、前記検出された連続する数の画素、および、前記第２の画素と反対側のさらに１つの画素としたことを特徴とする中間調表示方法。
12.   項目６〜９のいずれか１項に記載の中間調表示方法において、
連続するフレーム或いはフィールド間で、前記第１の画素における前記最も輝度の重みの大きい発光ブロックのいずれかの使用状態が変化するとき、
該第１の画素における最も輝度の重みの大きい発光ブロックの変化と等しい変化を示す画素が表示画面上で直線的に連続する数を水平方向および垂直方向で検出し、
該検出された連続する水平方向および垂直方向の画素数の内小さい方の画素数、および、前記第１の画素における最も輝度の重みの大きい発光ブロックの変化に応じて、予め定められた輝度調整用発光ブロックを選択し、
該選択された輝度調整用発光ブロックを、前記連続する画素の原信号に与えるようにしたことを特徴とする中間調表示方法。
【００９１】
13.   項目１２に記載の中間調表示方法において、
前記輝度調整用発光ブロックを原信号に与える画素を、前記検出された連続する水平方向および垂直方向の画素数の内小さい方の画素、および、前記第２の画素と反対側のさらに１つの画素としたことを特徴とする中間調表示方法。
14.   項目１０〜１３のいずれか１項に記載の中間調表示方法において、
前記連続するフレーム或いはフィールド間で使用状態が変化する前記最も輝度の重みの大きい発光ブロックの検出を、該最も輝度の重みの大きい発光ブロックにおける輝度の重みの小さい側に位置する発光ブロックから順に行うようにしたことを特徴とする中間調表示方法。
【００９２】
15.   項目４〜１４のいずれか１項に記載の中間調表示方法において、
前記複数の発光ブロックの数を１０個とし、該各発光ブロックの輝度の重みをそれぞれ階調レベル１，２，４，８，１６，３２，４８，４８，４８，４８に設定したことを特徴とする中間調表示方法。
16.   画像を表示するために各々のフレーム或いはフィールド内に予め定められた複数の発光ブロックを有し、１つの階調レベルを複数通りの前記発光ブロックの組み合わせで表示し得る表示装置であって、
画像表示部と、該画像表示部を駆動する駆動手段と、該駆動手段を制御する制御手段と、発光ブロックを選択すると共に原信号に対して輝度調整用発光ブロックを挿入する発光ブロック選択および輝度調整用発光ブロック挿入手段を備え、該発光ブロック選択および輝度調整用発光ブロック挿入手段は、
任意の第１の画素の階調表示に使用する発光ブロックを定めるに当り、該第１の画素に近接する第２の画素における発光ブロックの使用状況から該第１の画素が使用する発光ブロックを予め定められた手順により選択するようになっていることを特徴とする表示装置。
【００９３】
17.   項目１６に記載の表示装置において、
前記第２の画素は、前記第１の画素と同一の色を発生し、且つ、前記第１の画素の左，右，上，或いは，下方向に最も近接する画素であることを特徴とする表示装置。
18.   項目１７に記載の表示装置において、
前記第２の画素が表示画面上に存在しないとき、該第２の画素の表示階調を任意の値の一定のレベルとしたことを特徴とする表示装置。
【００９４】
19.   項目１６〜１８のいずれか１項に記載の表示装置において、
前記各々のフレーム或いはフィールド内に予め定められた複数の発光ブロックは、最も輝度の重みの大きい発光ブロックを複数個含むように冗長を持たせて構成されていることを特徴とする表示装置。
20.   項目１９に記載の表示装置において、
前記第１の画素における最も輝度の重みの大きい発光ブロックの使用を、前記第２の画素における最も輝度の重みの大きい発光ブロックの使用状況から決めるようにしたことを特徴とする表示装置。
【００９５】
21.   項目１９に記載の表示装置において、
前記第１の画素における最も輝度の重みの大きい発光ブロックの使用個数を、前記第２の画素における最も輝度の重みの大きい発光ブロックの使用個数から決めるようにしたことを特徴とする表示装置。
22.   項目２１に記載の表示装置において、前記発光ブロック選択および輝度調整用発光ブロック挿入手段は、
前記最も輝度の重みの大きい発光ブロックの使用可能個数により全ての階調レベルをグループ分けした階調レベルに応じて、前記第１および第２の画素が表示する階調レベルに応じてグループ番号を与えるグループ番号付与手段と、
該第１および第２の画素に与えられたグループ番号を比較して、当該第１の画素の階調レベルを、前記複数通りの発光ブロックの組み合わせの内から１つ選択する発光ブロック組み合わせ選択手段とを具備することを特徴とする表示装置。
【００９６】
23.   項目２２に記載の表示装置において、
前記各画素の表示階調は、前記最も輝度の重みの大きい発光ブロックの使用個数が少ない第１の表現と前記最も輝度の重みの大きい発光ブロックの使用個数が多い第２の表現の２通りで表すことができるようになっており、
前記第１の画素における最も輝度の重みの大きい発光ブロックの使用個数を、該第１の画素のグループ番号ＧＡと前記第２の画素のグループ番号ＧＢを比較して次の式により決めるようにしたことを特徴とする表示装置。
【００９７】
ＧＢ＜ＧＡの場合……第１の表現
ＧＢ＝ＧＡの場合……第２の画素と同一の表現
ＧＢ＞ＧＡの場合……第２の表現
24.   項目２１に記載の表示装置において、
前記最も輝度の重みの大きい全ての発光ブロックにおいて、前記第１の画素が使用する最も輝度の重みの大きい複数個の発光ブロックの選択条件を、前記第２の画素が使用する最も輝度の重みの大きい発光ブロックの使用条件に応じて決めるようにしたことを特徴とする表示装置。
【００９８】
25.   項目２１〜２４のいずれか１項に記載の表示装置において、前記発光ブロック選択および輝度調整用発光ブロック挿入手段は、
連続するフレーム或いはフィールド間で、前記第１の画素における前記最も輝度の重みの大きい発光ブロックのいずれかの使用状態が変化するのを検出する発光ブロック変化検出手段と、
該第１の画素における最も輝度の重みの大きい発光ブロックの変化と等しい変化を示す画素が表示画面上で直線的に連続する数を検出する連続画素数検出手段と、
該検出された連続する画素数、および、前記第１の画素における最も輝度の重みの大きい発光ブロックの変化に応じて、予め定められた輝度調整用発光ブロックを選択する輝度調整用発光ブロック選択手段と、
該選択された輝度調整用発光ブロックを、前記連続する画素の原信号に与える輝度調整用発光ブロック付与手段とを具備することを特徴とする表示装置。
【００９９】
26.   項目２５に記載の表示装置において、
前記輝度調整用発光ブロックを原信号に与える画素を、前記検出された連続する数の画素、および、前記第２の画素と反対側のさらに１つの画素としたことを特徴とする表示装置。
27.   項目２１〜２４のいずれか１項に記載の表示装置において、前記発光ブロック選択および輝度調整用発光ブロック挿入手段は、
連続するフレーム或いはフィールド間で、前記第１の画素における前記最も輝度の重みの大きい発光ブロックのいずれかの使用状態が変化するのを検出する発光ブロック変化検出手段と、
該第１の画素における最も輝度の重みの大きい発光ブロックの変化と等しい変化を示す画素が表示画面上で直線的に連続する数を水平方向および垂直方向で検出する連続画素数検出手段と、
該検出された連続する水平方向および垂直方向の画素数の内小さい方の画素数、および、前記第１の画素における最も輝度の重みの大きい発光ブロックの変化に応じて、予め定められた輝度調整用発光ブロックを選択する輝度調整用発光ブロック選択手段と、
該選択された輝度調整用発光ブロックを、前記連続する画素の原信号に与える輝度調整用発光ブロック付与手段とを具備することを特徴とする表示装置。
【０１００】
28.   項目２７に記載の表示装置において、
前記輝度調整用発光ブロックを原信号に与える画素を、前記検出された連続する水平方向および垂直方向の画素数の内小さい方の画素、および、前記第２の画素と反対側のさらに１つの画素としたことを特徴とする表示装置。
29.   項目２５〜２８のいずれか１項に記載の表示装置において、前記発光ブロック変化検出手段は、前記連続するフレーム或いはフィールド間で使用状態が変化する前記最も輝度の重みの大きい発光ブロックの検出を、該最も輝度の重みの大きい発光ブロックにおける輝度の重みの小さい側に位置する発光ブロックから順に行うようにしたことを特徴とする表示装置。
【０１０１】
30.   項目１９〜２９のいずれか１項に記載の表示装置において、
前記複数の発光ブロックの数を１０個とし、該各発光ブロックの輝度の重みをそれぞれ階調レベル１，２，４，８，１６，３２，４８，４８，４８，４８に設定したことを特徴とする表示装置。
31.   画像を表示するために各々のフレーム或いはフィールド内に予め定められた複数の発光ブロックを有し、１つの階調レベルを複数通りの前記発光ブロックの組み合わせで表示し得る中間調表示方法であって、
任意の第１の画素の階調表示に使用する発光ブロックを定めるに当り、該第１の画素の周囲少なくとも２つ以上の参照画素における発光ブロックの使用状況から該第１の画素が使用する発光ブロックを予め定められた手順により選択するようにしたことを特徴とする中間調表示方法。
【０１０２】
32.   項目３１に記載の中間調表示方法において、
前記参照画素は、前記第１の画素に対して直接に隣接する画素であることを特徴とする中間調表示方法。
33.   項目３１に記載の中間調表示方法において、
前記参照画素は、前記第１の画素に対して直接に隣接する或いは他の画素を介して近接する画素であることを特徴とする中間調表示方法。
【０１０３】
34.   項目３２または３３のいずれか１項に記載の中間調表示方法において、
前記参照画素は多数決が行われ、該参照画素の過半数を超えた発光ブロックの使用状況から前記第１の画素が使用する発光ブロックを選択するようにしたことを特徴とする中間調表示方法。
35.   項目３４に記載の中間調表示方法において、
前記参照画素が偶数であり、異なる発光ブロックの前記参照画素が同数の場合には、前記第１の画素が使用する発光ブロックを変化させずに維持するようにしたことを特徴とする中間調表示方法。
【０１０４】
36.   項目３２または３３のいずれか１項に記載の中間調表示方法において、
前記参照画素には前記第１の画素との位置関係によりそれぞれ重みが付けられており、該重み付けされた参照画素の発光ブロックの使用状況から前記第１の画素が使用する発光ブロックを選択するようにしたことを特徴とする中間調表示方法。
【０１０５】
37.   項目３６に記載の中間調表示方法において、
異なる発光ブロックの前記重み付けされた参照画素が同じ場合には、前記第１の画素が使用する発光ブロックを変化させずに維持するようにしたことを特徴とする中間調表示方法。
38.   画像を表示するために各々のフレーム或いはフィールド内に予め定められた複数の発光ブロックを有し、１つの階調レベルを複数通りの前記発光ブロックの組み合わせで表示し得る表示装置であって、
画像表示部と、該画像表示部を駆動する駆動手段と、該駆動手段を制御する制御手段と、発光ブロックを選択すると共に原信号に対して輝度調整用発光ブロックを挿入する発光ブロック選択および輝度調整用発光ブロック挿入手段を備え、該発光ブロック選択および輝度調整用発光ブロック挿入手段は、
任意の第１の画素の階調表示に使用する発光ブロックを定めるに当り、該第１の画素の周囲少なくとも２つ以上の参照画素における発光ブロックの使用状況から該第１の画素が使用する発光ブロックを予め定められた手順により選択するようになっていることを特徴とする表示装置。
【０１０６】
39.   項目３８に記載の表示装置において、
前記参照画素は、前記第１の画素に対して直接に隣接する画素であることを特徴とする表示装置。
40.   項目３８に記載の表示装置において、
前記参照画素は、前記第１の画素に対して直接に隣接する或いは他の画素を介して近接する画素であることを特徴とする表示装置。
【０１０７】
41.   項目３９または４０のいずれか１項に記載の表示装置において、
前記参照画素は多数決が行われ、該参照画素の過半数を超えた発光ブロックの使用状況から前記第１の画素が使用する発光ブロックを選択するようにしたことを特徴とする表示装置。
42.   項目４１に記載の表示装置において、
前記参照画素が偶数であり、異なる発光ブロックの前記参照画素が同数の場合には、前記第１の画素が使用する発光ブロックを変化させずに維持するようにしたことを特徴とする表示装置。
【０１０８】
43.   項目３９または４０のいずれか１項に記載の表示装置において、
前記参照画素には前記第１の画素との位置関係によりそれぞれ重みが付けられており、該重み付けされた参照画素の発光ブロックの使用状況から前記第１の画素が使用する発光ブロックを選択するようにしたことを特徴とする表示装置。
44.   項目４３に記載の表示装置において、
異なる発光ブロックの前記重み付けされた参照画素が同じ場合には、前記第１の画素が使用する発光ブロックを変化させずに維持するようにしたことを特徴とする表示装置。
【０１０９】
45.   項目３８〜４４のいずれか１項に記載の表示装置において、該表示装置は、表示画面全体を予め定められた点灯パターンに設定する点灯パターン設定手段を備えたことを特徴とする表示装置。
46.   項目４５記載の表示装置において、
前記点灯パターン設定手段は、表示画面全体の各画素について、最も輝度レベルの重みの大きな発光ブロックをできるだけ多く使う発光状態にするようになっていることを特徴とする表示装置。
【０１１０】
【発明の実施の形態】
以下、添付図面を参照して本発明に係る中間調表示方法および表示装置の実施例を詳述する。
まず、本発明に係る中間調表示方法を実現する表示装置の一例を図２１を参照して説明する。
【０１１１】
図２１は、上述した本発明に係る中間調表示方法を実施する場合の表示装置の一例を示すブロック図である。図２１において、参照符号１００は表示装置、２００は発光ブロック選択および輝度調整用発光ブロック挿入手段を示している。ここで、参照符号２１０は原信号（表示データ）を示し、２２０は輝度調整用発光ブロック挿入後の信号を示している。
【０１１２】
図２１に示されるように、表示装置１００は、画像表示部（ディスプレイパネル）１０２、該画像表示部１０２を駆動するＸデコーダ１３１並びにＸドライバ１３２、Ｙデコーダ１４１並びにＹドライバ１４２、および、Ｘドライバ１３２並びにＹドライバ１４２を駆動制御する制御部５を備えて構成されている。なお、画像表示部１０２は、縦方向にｎライン有り、各ラインの横方向にｍ個の画素が設けられた（縦，横）＝（ｎ，ｍ）の画素構成とされている。
【０１１３】
ここで、１フレームの画像は、例えば、図１９に示されるように、複数個のサブフレーム（発光ブロック）により階調を変化させながら画像表示部１０２に表示するようになており、該複数個のサブフレームは、例えば、それぞれアドレス期間と維持放電期間とで構成されている。なお、本発明が適用される表示装置としては、プラズマディスプレイ等のガス放電パネルの他に、フレーム或いはフィールド内時間分割法で中間調表示を行う様々な表示装置、例えば、ＤＭＤ（Digital Micromirror Device) やＥＬパネル等に対しても適用可能なのはもちろんである。
【０１１４】
すなわち、図２１における表示装置１００は、基本的には、サブフレームを利用して階調表示を行う構造のものであれば、如何なるパネルでも使用することが可能であり、本発明の適用は、表示データ（原信号２１０）を発光ブロック選択および輝度調整用発光ブロック挿入手段２００を介して表示装置１００に供給すればよいことになる。ここで、発光ブロック選択および輝度調整用発光ブロック挿入手段２００は、後述するように、例えば、最も輝度の重みの大きい複数の発光ブロックＤ（Ｄ１〜Ｄ４）を適切な数に選択すると共に、原信号２１０のフレーム（或いは、フィールド）間の信号の変化の有無に従って、該原信号に輝度調整用の発光ブロック（等化パルス：サブフレーム）を加え、或いは、減じた信号２２０を出力するようになっている。
【０１１５】
本発明の中間調表示方法および表示装置は、前述した図１９に示すような輝度の重みの大きい（例えば、最も輝度の重みの大きい）発光ブロックを複数有するサブフレームの点灯シーケンスを前提とするものであり、１つの階調表示を複数通りのサブフレーム（発光ブロック）の組み合わせで表現できる冗長性を持った点灯シーケンスが前提となる。そして、本発明は、例えば、プラズマディスプレイパネル（ＰＤＰ）の放電セルに加える等化パルスの総量を一定に保ちつつ、表示画像の動きに対して視認される発光強度パターンの場所的変化が一様となるように各等化パルスに重み付けをする場合、その前処理として点灯シーケンスの冗長性を積極的に活用し、発光ブロックの組み合わせを制御して映像の動画偽輪郭（色偽輪郭）の発生そのものを低減することで表示画像をより一層改善しようとするものである。
【０１１６】
本発明においては、左に隣接する画素の発光パターンに従って、前述した表１における２通りの発光パターン（第１の表現および第２の表現）のいずれを選ぶかが決められ、そして、動き補償等化パルスを正確に加えることができるようになっている。
図２２は本発明に係る中間調表示方法の原理を説明するための図であり、前述した図２０に対応するものである。
【０１１７】
図２２において、横軸は網膜上に固定した位置座標ｘを示し、また、縦軸は時間ｔを示している。なお、縦軸ｔにおける０および１Ｆは、ある時点のフレーム（フィールド）における画像（０）および次のフレームにおける画像（１Ｆ）を示している。また、参照符号ＡＡは４８階調レベルの発光ブロック（最も輝度の重みの大きい発光ブロック）を２つ（例えば、Ｄ１，Ｄ２）使用して階調表示を行う場合を示し、さらに、参照符号ＢＢは４８階調レベルの発光ブロックを３つ（例えば、Ｄ１，Ｄ２，Ｄ３）使用して階調表示を行う場合を示している。すなわち、１５９−ＡＡは、４８階調レベルの発光ブロックを２つ使用して１５９階調レベルを表示する画素を示し、１５９−ＢＢは、４８階調レベルの発光ブロックを３つ使用して１５９階調レベルを表示する画素を示し、また、１６０−ＢＢは、４８階調レベルの発光ブロックを３つ使用して１６０階調レベルを表示する画素を示している。
【０１１８】
図２２に示されるように、ある時点（時刻０）のフレームの画像において、画素ａ，ｂ，ｃ，ｄは発光ブロックＤ（最も輝度の重みの大きい発光ブロック）を２つ使用（点灯）して階調表示を行っており、画素ｅは発光ブロックＤを３つ使用して階調表示を行っている。このとき、画素ｆ以降の画素も、左隣りの画素における発光ブロックＤの個数に従って、発光ブロックＤを３つ使用して階調表示を行う。すなわち、表１において、画素ｄ，ｅ，ｆのグループ番号Ｇｄ，Ｇｅ，ＧｆはＧｄ＝６，Ｇｅ＝７，Ｇｆ＝６となり、また、グループ番号を比較すると、Ｇｄ＜Ｇｅ，Ｇｅ＞Ｇｆとなる。従って、画素ｅは第１の表現（１６０−ＢＢ）により表され、また、画素ｆは第２の表現（１５９−ＢＢ）により表されることになる。なお、画素ａ，ｂ，ｃ，ｄは、それぞれグループ番号Ｇａ，Ｇｂ，Ｇｃ，Ｇｄが６となるので、Ｇ０（０）＜Ｇａ，Ｇａ＝Ｇｂ，Ｇｂ＝Ｇｃ，Ｇｃ＝Ｇｄとなり、画素ａは第１の表現（１５９−ＡＡ）で、画素ｂ，ｃ，ｄは左隣りの画素（ａ，ｂ，ｃ）と同一の表現（第１の表現：１５９−ＡＡ）により表されることになる。ここで、画素（左端の画素）ａに対する左隣りの画素（０）は実際には存在しないが、前述したように、その画素０のグループ番号Ｇ０は０と仮定する。
【０１１９】
さらに、次のフレーム（１Ｆ）の画像において、３画素／フレームの速度で画像が右側から左側方向へ移動した場合、３つの画素ｂ，ｃ，ｄはいずれも発光ブロックＤの数が１つ増加する。すなわち、表１において、画素ａ，ｂ，ｃのグループ番号Ｇａ，Ｇｂ，ＧｃはＧａ＝６，Ｇｂ＝７，Ｇｃ＝６となり、また、グループ番号を比較すると、Ｇ０（０）＜Ｇａ，Ｇａ＜Ｇｂ，Ｇｂ＞Ｇｃとなる。従って、画素ａは第１の表現（１５９−ＡＡ）により表され、画素ｂも第１の表現（１６０−ＢＢ）により表され、そして、画素ｃは第２の表現（１５９−ＢＢ）により表されることになる。なお、画素ｃ，ｄ，ｅ，ｆは、それぞれグループ番号Ｇｃ，Ｇｄ，Ｇｅ，Ｇｆが６となるので、Ｇｃ＝Ｇｄ，Ｇｄ＝Ｇｅ，Ｇｅ＝Ｇｆとなり、画素ｄ，ｅ，ｆは左隣りの画素（ｃ，ｄ，ｅ）と同一の表現（第２の表現：１５９−ＢＢ）により表されることになる。従って、連続した２つのフレーム間において、使用する発光ブロックＤの数の変化が同一である画素が連続する数より、画像の移動速度が３画素／フレームと正しく検出することができ、これらの３つの画素に対して、例えば、日本国特開平１０−１３３６２３号公報で提案した動き補償等化パルス法を適用することにより、動画偽輪郭の低減を図って表示画像の品質向上を行うことができる。
【０１２０】
次に、等化パルス（動き補償等化パルス）の加え方について説明する。すなわち、本発明は、上述のような処理を行って各画素の階調表示を行うが、さらに、複数（４つ）の最も輝度の重みの大きい発光ブロックＤ（Ｄ１〜Ｄ４）に関しては、次のようにしてルックアップテーブルを作成して等化パルスによる動き補償を行う。
【０１２１】
図２３は本発明に係る中間調表示方法を概略的に示すフローチャートであり、発光ブロックＤ（Ｄ１〜Ｄ４）に変動があるときの等化パルスの加え方を示すものである。
図２３のフローチャートに示されるように、動き補償等化パルスの挿入処理（加減処理）は、まず、ステップＳＴ９１において、連続した２つのフレーム（フィールド）間の輝度信号のＤブロックの変化、すなわち、連続した２つのフレーム間におけるある画素の階調レベルを表示するために使用する最も輝度の重みの大きい発光ブロックＤ（Ｄ１〜Ｄ４）の変化を調べて、ステップＳＴ９２へ進む。ステップＳＴ９２では、第１の発光ブロックＤ１が変化するか否かを判別し、発光ブロックＤ１が変化すると判別されればステップＳＴ９３へ進み、発光ブロックＤ１が変化しないと判別されればステップＳＴ９４へ進む。ステップＳＴ９４では、ステップＳＴ９２と同様に、第２の発光ブロックＤ２が変化するか否かを判別し、発光ブロックＤ２が変化すると判別されればステップＳＴ９５へ進み、発光ブロックＤ２が変化しないと判別されればステップＳＴ９６へ進む。
【０１２２】
さらに、ステップＳＴ９６では、ステップＳＴ９２およびＳＴ９４と同様に、第３の発光ブロックＤ３が変化するか否かを判別し、発光ブロックＤ３が変化すると判別されればステップＳＴ９７へ進み、発光ブロックＤ３が変化しないと判別されればステップＳＴ９８へ進む。ステップＳＴ９８では、ステップＳＴ９６と同様に、第４の発光ブロックＤ４が変化するか否かを判別し、発光ブロックＤ４が変化すると判別されればステップＳＴ９９へ進み、発光ブロックＤ４が変化しないと判別されれば、ステップＳＴ９１へ戻って、次の画素に対してステップＳＴ９１〜ＳＴ９９の処理を行う。
【０１２３】
一方、ステップＳＴ９３では、連続した２つのフレーム間で変化する第１の発光ブロックＤ１に対する等化パルスの挿入処理（加減処理）を行い、ステップＳＴ９５では、第２の発光ブロックＤ２に対する等化パルスの挿入処理を行い、ステップＳＴ９７では、第３の発光ブロックＤ３に対する等化パルスの挿入処理を行い、そして、ステップＳＴ９９では、第４の発光ブロックＤ４に対する等化パルスの挿入処理を行って、それぞれステップＳＴ９１へ戻って、次の画素に対してステップＳＴ９１〜ＳＴ９９の処理を行う。
【０１２４】
ここで、各発光ブロックＤ１〜Ｄ４が変化したときに挿入する等化パルス（動き補償等化パルス）は次の表３〜表６（ルックアップテーブル）から求める。
【０１２５】
【表３】
0004767379.tif 000005
【０１２６】
【表４】
0004767379.tif 000006
【０１２７】
【表５】
0004767379.tif 000007
【０１２８】
【表６】
0004767379.tif 000008
【０１２９】
上記の表３〜表６において、『０』は発光ブロックＤ（Ｄ１〜Ｄ４）の消灯を示し、また、『１』は発光ブロックＤの点灯を示している。従って、Ｄ１が０→１とは、最も輝度の重みの大きい発光ブロックＤにおける第１の発光ブロックＤ１が消灯から点灯に変化する場合を示し、このとき、等しい変化をする画素が連続する数に応じて、それぞれ輝度調整用発光ブロック（等化パルス）を挿入処理（加減処理）するようになっている。また、Ｄ２が１→０とは、最も輝度の重みの大きい発光ブロックＤにおける第２の発光ブロックＤ２が点灯から消灯に変化する場合を示し、このとき、等しい変化をする画素が連続する数に応じて、それぞれ輝度調整用発光ブロックを挿入処理するようになっている。
【０１３０】
具体的に、表３に示されるように、例えば、連続した２つのフレーム（フィールド）間で第１の発光ブロックＤ１が消灯から点灯に変化するとき（Ｄ１が０→１）、等しい変化をする画素が３つ連続する場合には、これら各画素に対して階調レベル２９，０，０の等化パルスを与える（挿入する）。また、表４に示されるように、例えば、連続した２つのフレーム間で第３の発光ブロックＤ３が消灯から点灯に変化するとき（Ｄ３が０→１）、等しい変化をする画素が５つ連続する場合には、これら各画素に対して階調レベル４７，４７，３１，１３，０の等化パルスを与える。
【０１３１】
また、表５に示されるように、例えば、連続した２つのフレーム間で第２の発光ブロックＤ２が点灯から消灯に変化するとき（Ｄ２が１→０）、等しい変化をする画素が４つ連続する場合には、これら各画素に対して階調レベル−４７，−２７，０，０の等化パルスを与える。また、表６に示されるように、例えば、連続した２つのフレーム間で第４の発光ブロックＤ４が点灯から消灯に変化するとき（Ｄ４が１→０）、等しい変化をする画素が２つ連続する場合には、これら各画素に対して階調レベル−４７，−２５の等化パルスを与える。
【０１３２】
図２４は本発明に係る中間調表示方法の一例を説明するためのフローチャートであり、任意の方向への移動に対する動き補償等化パルスの与え方を示すものである。ここで、図２４におけるステップＳＴ１９１〜ＳＴ１９９は、基本的には前述した図２３のステップＳＴ９１〜ＳＴ９９に対応するものである。
図２４のフローチャートに示されるように、動き補償等化パルスの挿入処理（加減処理）は、まず、ステップＳＴ１９１において、パネル内の全画素に対し、第ｎフレーム（フィールド）と第ｎ＋１フレーム（フィールド）における最も輝度の重みの大きい発光ブロックＤ（Ｄ１〜Ｄ４）の変化を調べ、変化する領域と変化しない領域を選び出してステップＳＴ１９２へ進む。ステップＳＴ１９２では、最も輝度の重みの大きい発光ブロックＤの内の第１の発光ブロックＤ１が変化するか否かを判別し、発光ブロックＤ１が変化すると判別されればステップＳＴ１９３へ進み、発光ブロックＤ１が変化しないと判別されればステップＳＴ１９４へ進む。
【０１３３】
ステップＳＴ１９４では、ステップＳＴ１９２と同様に、第２の発光ブロックＤ２が変化するか否かを判別し、発光ブロックＤ２が変化すると判別されればステップＳＴ１９５へ進み、発光ブロックＤ２が変化しないと判別されればステップＳＴ１９６へ進む。さらに、ステップＳＴ１９６では、ステップＳＴ１９２およびＳＴ１９４と同様に、第３の発光ブロックＤ３が変化するか否かを判別し、発光ブロックＤ３が変化すると判別されればステップＳＴ１９７へ進み、発光ブロックＤ３が変化しないと判別されればステップＳＴ１９８へ進む。ステップＳＴ１９８では、ステップＳＴ１９６と同様に、第４の発光ブロックＤ４が変化するか否かを判別し、発光ブロックＤ４が変化すると判別されればステップＳＴ１９９へ進み、発光ブロックＤ４が変化しないと判別されれば、ステップＳＴ１９１へ戻って、次の画素に対してステップＳＴ１９１〜ＳＴ１９９の処理を行う。
【０１３４】
一方、ステップＳＴ１９３では、連続した２つのフレーム間で変化する第１の発光ブロックＤ１に対する等化パルスの挿入処理（加減処理）を行うが、まず、第１の発光ブロックＤ１が変化する領域内において、Ｄ１の０→１（消灯から点灯）または１→０（点灯から消灯）の変化を水平方向に連続する画素数を数える。さらに、第１の発光ブロックＤ１が変化する領域内において、Ｄ１の０→１または１→０の変化を垂直方向に連続する画素数を数える。そして、Ｄ１の０→１または１→０の変化が水平方向および垂直方向に連続する画素数の内、そのＤ１の変化が連続する画素数の小さい方（水平方向または垂直方向）を選択する。そして、前述した表３〜表６、或いは、後述する表７に従って第１の発光ブロックＤ１に対する動き補償等化パルスを与える（挿入する）。
【０１３５】
また、ステップＳＴ１９５では、第２の発光ブロックＤ２に対して、ステップＳＴ１９３と同様の処理を行って、第２の発光ブロックＤ２に対する動き補償等化パルスを与える。同様に、ステップＳＴ１９７では、第３の発光ブロックＤ３に対する動き補償等化パルスを与え、そして、ステップＳＴ１９９では、第４の発光ブロックＤ４に対する動き補償等化パルスを与える。
【０１３６】
このように、本実施例では、画像が任意の方向に移動する場合に、最も輝度の重みの大きい発光ブロックＤ（Ｄ１〜Ｄ４）の変化が同一である画素を水平方向および垂直方向について数え、連続している数の少ない方（水平方向または垂直方向）を画像の移動方向として選択する。さらに、この選択された画像の移動方向において、動き補償等化パルスの大きさを選択し、原信号に重畳するようになっている。
【０１３７】
【表７】
0004767379.tif 000009
【０１３８】
前述した表３〜表６では、各発光ブロックＤ１〜Ｄ４が変化したときに挿入する（加減する）等化パルスの一例を示したが、上記の表７は、この表３〜表６に対する他の例を示すものである。
すなわち、表３〜表６では、画像の移動速度ｖ［画素／フレーム］に対して、ｖ個の画素に等化パルスを与えていた。しかしながら、表７に示す例では、さらに右隣りの１画素を加えたｖ＋１個の画素に対して等化パルスを与える（挿入する）ようになっている。
【０１３９】
具体的に、表７に示されるように、例えば、連続した２つのフレーム（フィールド）間で第１の発光ブロックＤ１が消灯から点灯に変化するとき（Ｄ１が０→１）、等しい変化をする画素が１つの場合には、その画素および右隣りの画素の合計２つの画素に対して階調レベル１２，−４の等化パルスを与える。また、例えば、連続した２つのフレーム間で第３の発光ブロックＤ３が消灯から点灯に変化するとき（Ｄ３が０→１）、等しい変化をする画素が２つの場合には、それら変化する２つの画素およびその右隣りの画素の合計３つの画素に対して階調レベル４７，９，−４の等化パルスを与える。さらに、例えば、連続した２つのフレーム間で第４の発光ブロックＤ３が点灯から消灯に変化するとき（Ｄ４が１→０）、等しい変化をする画素が３つの場合には、それら変化する３つの画素およびその右隣りの画素の合計４つの画素に対して階調レベル−１４，−４８，−５０，２の等化パルスを与える。
【０１４０】
なお、表３〜表６および表７は、それぞれ動き補償等化パルス挿入処理の例を示すものであり、本発明はこれらのものに限定されるものではない。
図２５および図２６は本発明に係る中間調表示方法の一例の動作を示すフローチャートである。
図２５に示されるように、中間調表示処理が開始すると、ステップＳＴ１０１において、座標（ｘ，ｙ）＝（０，０）の画素を設定して、ステップＳＴ１０２へ進む。ここで、表示画像（画像表示部１０２）は、縦方向にｎラインで横方向にｍ行、すなわち、（縦，横）＝（０，０）〜（ｎ，ｍ）の画素により構成されている。なお、表示画像の左端の画素（０，０）〜（０，ｍ）は、その左隣に階調レベル０の画素が存在すると仮定して処理を行う。
【０１４１】
ステップＳＴ１０２において、表１に従ってグループ番号Ｇxyを決定し、ステップＳＴ１０３へ進む。ステップＳＴ１０３では、ｘ＝ｍ−１が成立するか否か、すなわち、ｘがそのラインの最終画素（ｍ個目の画素）まで来たかどうかを判別し、ｘ＝ｍ−１であればステップＳＴ１０５へ進み、そうでなければステップＳＴ１０４へ進む。ステップＳＴ１０４では、ｘ＝ｘ＋１としてステップＳＴ１０２へ戻り、次の画素について表１に従ったグループ番号Ｇxyの決定を行い、ｘ＝ｍ−１が成立するまでステップＳＴ１０２およびＳＴ１０４の処理を繰り返す。
【０１４２】
ステップＳＴ１０５では、ｙ＝ｎ−１が成立するか否か、すなわち、ｙが最終ライン（ｎライン目）まで来たかどうかを判別し、ｙ＝ｎ−１であればステップＳＴ１０７へ進み、そうでなければステップＳＴ１０６へ進む。ステップＳＴ１０６では、（ｘ，ｙ）＝（０，ｙ＋１）としてステップＳＴ１０２へ戻り、次のラインの画素について表１に従ったグループ番号Ｇxyの決定を行い、ｙ＝ｎ−１が成立するまでステップＳＴ１０２〜ＳＴ１０４およびＳＴ１０６の処理を繰り返す。以上の処理により、全ての画素に対して、グループ番号Ｇxyが付与されたことになる。
【０１４３】
ステップＳＴ１０７では、（ｘ，ｙ）＝（０，０）と置き直して、ステップＳＴ１０８へ進み、表１における第１の表現に従って、最も輝度の重みの大きい発光ブロックＤの数Ｄ0yを決定する。さらに、ステップＳＴ１０９において、ｘ＝ｘ＋１としてステップＳＴ１１０へ進む。ステップＳＴ１１０では、隣接する２つの画素のグループ番号が、Ｇxy＞Ｇ(x-1)yを満たすか否かの判別を行い、Ｇxy＞Ｇ(x-1)yが成立すれば、すなわち、画素（ｘ，ｙ）のグループ番号Ｇxyが左隣の画素（ｘ−１，ｙ）のグループ番号Ｇ(x-1)yよりも大きければ、ステップＳＴ１１１へ進み、小さければステップＳＴ１１２へ進む。
【０１４４】
ステップＳＴ１１１では、表１における第１の表現に従って、最も輝度の重みの大きい発光ブロック（Ｄ）の数Ｄxyを決定する。従って、画素（ｘ，ｙ）のグループ番号Ｇxyが左隣の画素（ｘ−１，ｙ）のグループ番号Ｇ(x-1)yよりも大きければ、その画素（ｘ，ｙ）における最も輝度の重みの大きい発光ブロックの数Ｄxyは、表１における第１の表現に従って決められる。
【０１４５】
ステップＳＴ１１２では、隣接する２つの画素のグループ番号が、Ｇxy＝Ｇ(x-1)yを満たすか否かの判別を行い、Ｇxy＝Ｇ(x-1)yが成立すれば、すなわち、画素（ｘ，ｙ）のグループ番号Ｇxyが左隣の画素（ｘ−１，ｙ）のグループ番号Ｇ(x-1)yと同じであれば、ステップＳＴ１１３へ進み、そうでなければ（Ｇxy＜Ｇ(x-1)yならば）ステップＳＴ１１４へ進む。
【０１４６】
ステップＳＴ１１３では、Ｄxy＝Ｄ(x-1)yとして、すなわち、画素（ｘ，ｙ）における最も輝度の重みの大きい発光ブロックＤの数Ｄxyを左隣の画素（ｘ−１，ｙ）における最も輝度の重みの大きい発光ブロックＤの数Ｄ(x-1)yと同じに設定する。従って、画素（ｘ，ｙ）のグループ番号Ｇxyが左隣の画素（ｘ−１，ｙ）のグループ番号Ｇ(x-1)yと同じであれば、その画素（ｘ，ｙ）における最も輝度の重みの大きい発光ブロックの数Ｄxyは、表１における第１の表現に従って決められる。
【０１４７】
ステップＳＴ１１４では、Ｄxy＜Ｄ(x-1)yのとき、Ｄxyが表１における第２の表現に従って決められる。従って、画素（ｘ，ｙ）のグループ番号Ｇxyが左隣の画素（ｘ−１，ｙ）のグループ番号Ｇ(x-1)yよりも小さければ、その画素（ｘ，ｙ）における最も輝度の重みの大きい発光ブロックの数Ｄxyは、表１における第２の表現に従って決められる。
【０１４８】
そして、ステップＳＴ１１１，ＳＴ１１３およびＳＴ１１４の処理が行われると、ステップＳＴ１１５に進んで、前記のステップＳＴ１０３と同様に、ｘ＝ｍ−１が成立するか否か、すなわち、ｘがそのラインの最終画素（ｍ個目の画素）まで来たかどうかを判別し、ｘ＝ｍ−１であればステップＳＴ１１６へ進み、そうでなければステップＳＴ１０９へ戻って、ｘ＝ｍ−１が成立するまでステップＳＴ１０９〜ＳＴ１１４の処理を繰り返す。
【０１４９】
ステップＳＴ１１６では、ｙ＝ｎ−１が成立するか否か、すなわち、ｙが最終ライン（ｎライン目）まで来たかどうかを判別し、ｙ＝ｎ−１であれば中間調表示処理を終了し、そうでなければステップＳＴ１１７へ進む。ステップＳＴ１１７では、前記のステップＳＴ１０６と同様に、（ｘ，ｙ）＝（０，ｙ＋１）としてステップＳＴ１０８へ戻り、ステップＳＴ１０８〜ＳＴ１１５およびＳＴ１１７の処理をｙ＝ｎ−１が成立するまで繰り返す。以上の処理により、全ての画素における最も輝度の重みの大きい発光ブロックの数Ｄxyが決められる。なお、各画素に対して最も輝度の重みの大きい発光ブロックの数Ｄxyが決まれば、それぞれの階調レベルを表示する発光ブロックの組み合わせが決まることになる。
【０１５０】
以下、等化パルス処理を、図２７〜図３５のフローチャートを参照して説明する。なお、この中間調表示方法は、回路等により構成することができるが、コンピュータを以下のフローチャートに従って実行させるためのプログラムとして構成することもできる。また、コンピュータ用のプログラムは、例えば、フレキシブルディスクやハードディスク等の磁気的記憶媒体、および、ＣＤＲＯＭやＭＯディスク等の光学的記憶媒体等を介して頒布され、或いは、不揮発性メモリ装置等に書き込まれて頒布されて使用される。
【０１５１】
ここで、各中間調ビットデータｂ０〜ｂ９は次の表８の通りとする。
【０１５２】
【表８】
0004767379.tif 000010
【０１５３】
図２７は本発明が適用される中間調表示方法の処理の一例を示すフローチャートであり、等化パルス処理のメインパス（メインルーチン）を示すものである。なお、本発明が適用される中間調表示方法は、前述した図１９に示すような輝度の重みの大きい発光ブロックが複数有る点灯シーケンスを前提としている。
図２７に示されるように、等化パルス処理（中間調表示処理）が開始すると、ステップＳＴ１において、Ｎ＝９を設定してステップＳＴ２へ進む。ここで、参照符号Ｎは、輝度信号のビット番号を表わし、例えば、Ｎ＝９は最上位信号ビット（ＳＦ９：Ｄ４；４８階調レベル）、Ｎ＝５はその下の輝度信号ビット（ＳＦ５：３２階調レベル）を現している。なお、例えば、４８階調レベルの中間調ビットデータは、ｂ９の他にｂ６，ｂ７，ｂ８が有り、全部で４つの４８階調レベルの中間調ビットデータｂ６〜ｂ９がある。
【０１５４】
次いで、ステップＳＴ２で、『ビット切替り部検出処理』をＮ＝９ビットの輝度信号について、第ｎフレームと第ｎ＋１フレームについて実行し、画素毎にビット切替り部を検出し、その検出結果を記憶手段に記憶する。さらに、ステップＳＴ３へ進んで、『動画偽輪郭改善処理』をステップＳＴ２のビット切替り部の検出結果に基づいて実行し、ステップＳＴ４へ進む。
【０１５５】
ステップＳＴ４では、Ｎ＝６（４８階調レベルＳＦ６〜ＳＦ９における最下位ビット：ＳＦ６）が成立するか否かを判別し、Ｎ＝６であれば（真：Ｙｅｓ）等化パルス処理を終了し、Ｎ＝６でなければ（偽：Ｎｏ）、ステップＳＴ５へ進む。ステップＳＴ５では、Ｎ＝Ｎ−１を実行した後、ステップＳＴ２へ戻り、以下、順にステップＳＴ３，ＳＴ４と進み、ステップＳＴ４で真（Ｎ＝６）となるまで、テップＳＴ２およびＳＴ３の処理を繰り返す。ここで、ステップＳＴ４におけるＮ＝６の判別は、例えば、図１９に示すような点灯シーケンスにおいて、４つの最大の階調レベル（４８階調レベルのＳＦ６〜ＳＦ９）の全てに付いて等化パルス処理を行うことに相当する。従って、これらの処理は、点灯シーケンスの構成および等化パルス処理が必要とされるビット構成等により変化するものであり、例えば、重みが最大の発光ブロックが７つの３２階調レベルで構成される場合（ＳＦ０〜ＳＦ４は図１９と同じで、ＳＦ５〜ＳＦ１１が全て３２階調レベルの場合）には、ステップＳＴ２ではＮ＝１１となり、ステップＳＴ４ではＮ＝５の判別を行うことになる。
【０１５６】
図２８は図２７のフローチャートにおけるビット切替り部検出処理（ステップＳＴ２）の一例を示すフローチャートである。
図２８に示されるように、図２７のフローチャートにおける『ビット切替り部検出処理ＳＴ２』が開始すると、ステップＳＴ２１において、ｊ＝０として初期設定を行い、また、ステップＳＴ２２において、ｉ＝０として初期設定を行う。ここで、参照符号ｉおよびｊは、画素の横方向および縦方向の位置（画素番号）を示している。なお、横方向の画素番号ｉおよび縦方向の画素番号ｊは、共に“０”から始まり、横方向はｋ、また、縦方向はｍの大きさを持っている。すなわち、画素数は、横方向が（ｋ＋１）個で、縦方向が（ｍ＋１）個となっている。
【０１５７】
次いで、ステップＳＴ２３へ進んで、座標（０，０）のフレーム番号ｎと（ｎ＋１）の中間調ビットデータｂ９(n) およびｂ９(n+1) を読み込んで、ステップＳＴ２４へ進む。ステップＳＴ２４では、ステップＳＴ２３で読み込んだ中間調ビットを比較し、下記の表９に従った値（ｙij）を記憶手段に書き込む。
【０１５８】
【表９】
0004767379.tif 000011
【０１５９】
さらに、ステップＳＴ２５へ進んで、横方向の座標番号を比較（ｉ＝ｋ）し、横方向の画素番号ｉがｋに一致しなければ（すなわち、比較した結果、横方向の画素番号ｉが横方向画素数ｋよりも小さければ）、ステップＳＴ２６へ進んでｉ＝ｉ＋１としてステップＳＴ２３へ戻り、ステップＳＴ２５でｉ＝ｋが成立するまで（すなわち、同じラインの端から端までの画素に対して）、同様の処理を繰り返す。また、ステップＳＴ２５でｉ＝ｋが成立すると判別されると、ステップＳＴ２７へ進む。
【０１６０】
ステップＳＴ２７では、縦方向の座標番号を比較（ｊ＝ｍ）し、縦方向の画素番号ｊがｍに一致しなければ（すなわち、比較した結果、縦方向のライン番号ｊが縦方向の表示最大表示ライン数ｍよりも小さければ）、ステップＳＴ２８へ進んでｊ＝ｊ＋１としてステップＳＴ２２へ戻り、ステップＳＴ２７でｊ＝ｍが成立するまで同様の処理を繰り返す。また、ステップＳＴ２７でｊ＝ｍが成立すると判別されると、ビット切替り部検出処理ＳＴ２を終了し、メインルーチンへ戻る（図２７中のステップＳＴ３へ進む）。
【０１６１】
図２９は図２７のフローチャートにおける動画偽輪郭改善処理（ステップＳＴ３）の一例を示すフローチャートである。ここで、本フローチャートは、主として『動き量検出処理用サブルーチン（ＳＴ３５）』および『等化パルス加減処理用サブルーチン（ＳＴ３６）』を備えて構成され、これらの処理は、後に図３０〜図３２および図３３〜図３５を参照して詳述する。ここでは、これらステップＳＴ３５およびＳＴ３６のサブルーチンの動作には触れずに全体的な処理の流れを説明する。
【０１６２】
図２９に示されるように、図２７のフローチャートにおける『動画偽輪郭改善処理ＳＴ３』が開始されると、ステップＳＴ３１において、ｊ＝０として初期設定を行い、また、ステップＳＴ３２において、ｉ＝０として初期設定を行う。ここで、参照符号ｉおよびｊは、画素の横方向の画素番号（検索ドット）および縦方向の位置（処理ライン番号）に対応する。
【０１６３】
次いで、ステップＳＴ３３へ進んで、座標（０，０）のｙ00を読み込みｙ00の値が、ｂまたはｃ（すなわち、中間階調レベルの桁上げ／桁下げ）があるか否かを判別する。ステップＳＴ３３で、桁上げ／桁下げが有ると判別されると、ステップＳＴ３４へ進み、また、桁上げ／桁下げが無いと判別されると、ステップＳＴ３７へ進む。
【０１６４】
ステップＳＴ３４では、現在検索中の画素が現フレームにおける他の画素の処理結果により等化パルスが加減されていないかどうかを判別する。そして、ステップＳＴ３４で、等化パルスが加減されていると判別されると、ステップＳＴ３７へ進み、また、等化パルスが加減されていないと判別されると、ステップＳＴ３５へ進んで『動き量検出処理』が行われ、さらに、ステップＳＴ３６へ進んで『等化パルス加減処理』が行われ、その後、ステップＳＴ３７へ進む。
【０１６５】
ステップＳＴ３７では、現在検索中の画素の横方向の位置ｉが横方向の画素の最大値ｋであるか否かが判別され、横方向の画素番号ｉが横方向最大画素ｋに一致しなければ、ステップＳＴ３８へ進んでｉ＝ｉ＋１としてステップＳＴ３３へ戻り、ステップＳＴ３７でｉ＝ｋが成立するまで（すなわち、同じラインの端から端までの画素に対して）、同様の処理を繰り返す。また、ステップＳＴ３７でｉ＝ｋが成立すると判別されると、ステップＳＴ３９へ進む。
【０１６６】
ステップＳＴ３９では、縦方向のライン番号ｊが縦方向の表示最大表示ライン数ｍに一致しなければ、ステップＳＴ３０へ進んでｊ＝ｊ＋１としてステップＳＴ３２へ戻り、ステップＳＴ３９でｊ＝ｍが成立するまで同様の処理を繰り返す。また、ステップＳＴ３９でｊ＝ｍが成立すると判別されると、動画偽輪郭改善処理ＳＴ３を終了し、メインルーチンへ戻る（図２７中のステップＳＴ４へ進む）。
【０１６７】
図３０〜図３２は図２９のフローチャートにおける動き量検出処理ＳＴ３５の一例を示すフローチャートであり、図３０のフローチャートは横方向の動き量検出処理を示し、また、図３１および図３２のフローチャートは縦方向の動き量検出処理を示している。ここで、図３０〜図３２に示すサブルーチン（動き量検出処理ＳＴ３５）は、画素ｉｊにおいて、桁上げ或いは桁下げ（桁上げ／桁下げ）が発生した場合（ｙij＝ｂまたはｃ）に処理が開始するようになっている。
【０１６８】
図３０に示されるように、動き量検出処理（横方向の動き量検索処理）が開始すると、ステップＳＴ４１において、桁上げ／桁下げのあった画素で未だ等化パルスが加減されていない画素（ｉ，ｊ）を動き検索開始画素の座標とし、この座標を改めて（Ｘs ，Ｙs ）として、本サブルーチンが終了するまで記憶しておく。
【０１６９】
次いで、ステップＳＴ４１１において、横方向の検索開始位置ｉより１を引き、改めてｉと置き（ｉ＝ｉ−１）、ステップＳＴ４１２へ進む。ステップＳＴ４１２では、検索画素がパネル表示領域をオーバしていないかどうか（ｉ＜０）が判別され、検索画素がパネル表示領域をオーバしていると判別されると、ステップＳＴ４１５へ進み、また、オーバしていないと判別されると、ステップＳＴ４１３へ進む。
【０１７０】
ステップＳＴ４１３では、検索している画素の座標（Ｙs,ｉ）と検索を開始する座標の画素の状態変化Ｙiys,ＹXsYsを比較し、異なればステップＳＴ４１４へ進み、また、同じであればステップＳＴ４１１へ戻って、異なるようになるまで並びに横方向の表示画面の端に到達するまで同様の処理を繰り返す。ステップＳＴ４１４では、検索が終了した画素の位置ｉに対して１を加え、横方向の桁上がり／桁下がり（桁上がりまたは桁下がり）の状態の先頭座標の位置Ｘeaを求める（Ｘea＝ｉ＋１）。また、ステップＳＴ４１５において、横方向の桁上がり／桁下がりの状態が表示領域の端まで続いた場合は、Ｘea＝０と置くことになる。このようにして、左横方向の動き量の検索処理（上側への検索処理）が実行される。
【０１７１】
ステップＳＴ４１４およびＳＴ４１５の処理が終了すると、共にステップＳＴ４１６へ進み、以下に示す右横方向の動き量の検索処理が実行される。ステップＳＴ４１６では、横方向の検索スタート位置ｉを改めてｉ＝ＸS と置き、さらに、ステップＳＴ４２へ進んで、横方向の検索スタート位置ｉに１を加え、改めてｉと置く（ｉ＝ｉ＋１）。そして、ステップＳＴ４３へ進んで、ステップＳＴ４２で求めたｉが横方向の表示領域ｋをオーバしたかどうか（ｉ＞ｋ）を判別し、オーバしていると判別されれば検索動作を終了してステップＳＴ４７へ進み、オーバしていないと判別されればステップＳＴ４４へ進む。
【０１７２】
ステップＳＴ４４では、新しい横方向の検索画素の座標（ｉ，ｙs ）が検索開始画素の位置のビット切り替り状態と同じかどうかの判別が行われ、状態が同じ（ｙiYs ＝ｙXsYs）であればステップＳＴ４２へ戻り、該ステップＳＴ４４で状態が異なると判別されるまで、同様の処理を繰り返す。そして、ステップＳＴ４４で状態が異なると判別されると、検索処理を終了してステップＳＴ４５へ進む。ここで、ステップＳＴ４５は、横方向の検索画素の終了位置が表示画素端まで到達しなかった場合に実行され、検索終了位置の横方向の座標ｉから１を引き、その値をＸeb（Ｘeb＝ｉ−１）として記憶する。
【０１７３】
さらに、ステップＳＴ４５１において、ステップＳＴ４５で得られたＸebがＸeb＝０となっているか否かが判別される。ステップＳＴ４５１で、Ｘeb＝０であると判別されると、ステップＳＴ５０へ進み、Ｘeb＝０ではないと判別されると、ステップＳＴ４６へ進む。ステップＳＴ４６においては、ＸeaがＸea＝０となっているか否かが判別されるが、Ｘea＝０であると判別されると、ステップＳＴ４９へ進み、Ｘea＝０ではないと判別されると、ステップＳＴ４８へ進む。
【０１７４】
一方、ステップＳＴ４７では、画素Ｘeaが表示先頭位置より開始されたか否かの判別が行われるが、検索スタート画素が表示先頭位置より開始された（Ｘea＝０）と判別されるとステップＳＴ５２へ進み、また、開始されていないと判別されるとステップＳＴ５１へ進むことになる。
ステップＳＴ４８では、横方向の動き量ＢXsYsをＢXsYs＝Ｘeb−Ｘea＋１とし、且つ、横方向のビットの切り替わりのあった画素の両端の画素状態（α，β）＝（ＹXea-1,Ys, ＹXeb+1,Ys）として求めて記憶する。また、ステップＳＴ４９では、ＢXsYs＝Ｘeb＋１、且つ、（α，β）＝（Ｙ0,Ys, ＹXeb+1,Ys）として求めて記憶し、ステップＳＴ５０では、ＢXsYs＝１、且つ、（α，β）＝（Ｙ0,Ys, Ｙ0,Ys）として求めて記憶し、ステップＳＴ５１では、ＢXsYs＝ｋ−Ｘea＋１、且つ、（α，β）＝（ＹXea-1,Ys, Ｙk,Ys）として求めて記憶し、そして、ステップＳＴ５２では、ＢXsYs＝ｋ＋１、且つ、（α，β）＝（Ｙ0,Ys, Ｙk,Ys）として求めて記憶する。これにより、各ステップＳＴ４８，ＳＴ４９，ＳＴ５０，ＳＴ５１，ＳＴ５２において、横方向の動き量および連続する画素を挟む２つの画素状態が検索され、次いで、それぞれステップＳＴ５３へ進む。
【０１７５】
図３１に示されるように、ステップＳＴ５３では、縦方向の検索開始位置ｊより１を引き、改めてｊと置き（ｊ＝ｊ−１）、ステップＳＴ５４へ進む。この時、横方向の検索画素の位置はＸs である。ステップＳＴ５４では、検索画素がパネル表示領域をオーバしていないかどうか（ｊ＜０）が判別され、検索画素がパネル表示領域をオーバしていると判別されると、ステップＳＴ５７へ進み、また、オーバしていないと判別されると、ステップＳＴ５５へ進む。
【０１７６】
ステップＳＴ５５では、検索している画素の座標（Ｘs ，ｊ）と検索を開始する座標の画素の状態変化ＹXsj,ＹXsYsを比較し、異なればステップＳＴ５６へ進み、また、同じであればステップＳＴ５３へ戻って、異なるようになるまで並びに縦方向の表示画面の端に到達するまで同様の処理を繰り返す。ステップＳＴ５６では、検索が終了した画素の位置ｊに対して１を加え、縦方向の桁上がり／桁下がり（桁上がりまたは桁下がり）の状態の先頭座標の位置Ｙeaを求める（Ｙea＝ｊ＋１）。また、ステップＳＴ５７において、縦方向の桁上がり／桁下がりの状態が表示領域の端まで続いた場合は、Ｙea＝０と置くことになる。このようにして、縦方向の動き量の検索処理（上側への検索処理）が実行される。
【０１７７】
ステップＳＴ５６およびＳＴ５７の処理が終了すると、共にステップＳＴ５８へ進み、以下に示す縦方向の動き量の検索処理（下側への検索処理）が実行される。ステップＳＴ５８では、縦方向の検索スタート位置ｊを改めてｊ＝ＹS と置き、さらに、ステップＳＴ５９へ進んで、縦方向の検索スタート位置ｊに１を加え、改めてｊと置く（ｊ＝ｊ＋１）。
【０１７８】
次いで、ステップＳＴ６０へ進んで、検索画素の位置ｊが縦方向の表示領域ｍをオーバしていないかどうか（ｊ＞ｍ）が判別され、オーバしていればステップＳＴ６８へ進み、オーバしていなければステップＳＴ６１へ進む。ステップＳＴ６１では、検索している画素の座標（Ｘs ，ｊ）と検索を開始する座標の画素の状態変化ＹXsj,ＹXsYsを比較し、異なればステップＳＴ６２へ進み、同じであれば（ＹXsj ＝ＹXsYs）ステップＳＴ５９へ戻って、異なるようになるまで並びに縦方向の表示画面の端に到達するまで同様の処理を繰り返す。
【０１７９】
図３２に示されるように、ステップＳＴ６２では、検索が終了した画素位置ｊより１を引き、縦方向の桁上がり／桁下がり（桁上がりまたは桁下がり）の状態の後側の座標の位置Ｙebを求め（Ｙeb＝ｊ−１）、さらに、ステップＳＴ６３へ進む。ステップＳＴ６３では、ステップＳＴ６２で求められたＹebがＹeb＝０となるかどうかが判別され、縦方向の桁上がり／桁下がりの状態の後側の座標Ｙeb＝０が成立すると判別されるとステップＳＴ６７へ進み、また、Ｙeb＝０が成立しないと判別されるとステップＳＴ６４へ進む。
【０１８０】
ステップＳＴ６４では、状態変化の先頭の座標Ｙeaが画面の端（＝０）であるか否かが判別され、画面の端でなければステップＳＴ６５へ進み、画面の端であれば（Ｙea＝０）ステップＳＴ６６へ進む。同様に、ステップＳＴ６８でも、状態変化の先頭の座標Ｙeaが画面の端であるか否かが判別され、画面の端でなければステップＳＴ６９へ進み、画面の端であれば（Ｙea＝０）ステップＳＴ７０へ進む。
【０１８１】
ステップＳＴ６５では、縦方向の動き量ＣXsYsをＣXsYs＝Ｙeb−Ｙea＋１とし、且つ、縦方向のビットの切り替わりのあった画素の両端の画素状態（γ，δ）＝（ＹXs,Yea-1, ＹXs,Yeb+1）として求めて記憶し、ステップＳＴ６６では、ＣXsYs＝Ｙeb＋１、且つ、（γ，δ）＝（ＹXs,0, ＹXs,Yeb+1）として求めて記憶し、ステップＳＴ６７では、ＣXsYs＝１、且つ、（γ，δ）＝（ＹXs,0, ＹXs,0）として求めて記憶し、ステップＳＴ６９では、ＣXsYs＝ｍ−Ｙea＋１、且つ、（γ，δ）＝（ＹXs,Yea-1, ＹXs,m）として求めて記憶し、そして、ステップＳＴ７０では、ＣXsYs＝ｍ＋１、且つ、（γ，δ）＝（ＹXs,0, ＹXs,m）として求めて記憶する。これにより、横方向の動き量と共に、縦方向の動き量も検索して、動き量検出処理ＳＴ３５を終了し、メインルーチンへ戻る（図２９中のステップＳＴ３６へ進む）。
【０１８２】
図３３および図３４（図３５）は図２９のフローチャートにおける等化パルス加減処理ＳＴ３６の一例を示すフローチャートである。
図３３に示されるように、等化パルス加減処理ＳＴ３６が開始すると、ステップＳＴ７１において、検索された動き領域を挟む横方向の画素（α，β）が（ａ，ｄ）および（ｄ，ａ）であるか否か（条件１）が判別され、判別結果が真（Ｙｅｓ）であればステップＳＴ７２へ進み、偽（Ｎｏ）であればステップＳＴ７６へ進む。
【０１８３】
ステップＳＴ７２では、検索された動き領域を挟む縦方向の画素（γ，δ）が（ａ，ｄ）および（ｄ，ａ）であるか否か（条件２）が判別され、判別結果が真であればステップＳＴ７３へ進み、偽であればステップＳＴ７４へ進む。さらに、ステップＳＴ７３では、横方向および縦方向の動き量ＢXsYsおよびＣXsYsがＣXsYs≧ＢXsYs（条件３）により判別され、ＣXsYs≧ＢXsYsが成立すると判別されるとステップＳＴ７４へ進み、また、成立しないと判別されるとステップＳＴ７５へ進む。
【０１８４】
同様に、ステップＳＴ７６でも、検索された動き領域を挟む縦方向の画素（γ，δ）が（ａ，ｄ）および（ｄ，ａ）であるか否か（条件２）が判別され、判別結果が真であればステップＳＴ７５へ進み、偽であればステップＳＴ７７へ進む。さらに、ステップＳＴ７７では、横方向および縦方向の動き量ＢXsYsおよびＣXsYsがＣXsYs≧ＢXsYs（条件３）により判別され、ＣXsYs≧ＢXsYsが成立すると判別されるとステップＳＴ７８へ進み、また、成立しないと判別されるとステップＳＴ７９へ進む。
【０１８５】
ステップＳＴ７４では、動き量ＶXsYs、動き量を挟む画素（ε，ζ）、および、検出スタート画素ＹXsYsが記憶される（ＶXsYs＝ＢXsYs，（ε，ζ）＝（α，β），ＹXsYs）。同様に、ステップＳＴ７５では、ＶXsYs＝ＣXsYs，（ε，ζ）＝（γ，δ），ＹXsYsが記憶される。また、ステップＳＴ７８では、動き量ＶXsYs、動き量を挟む画素、および、検出スタート画素ＹXsYsが記憶される（ＶXsYs＝ＢXsYs，（ε，ζ）＝（α，β），ＹXsYs）。さらに、ステップＳＴ７９では、ＶXsYs＝ＣXsYs，（ε，ζ）＝（γ，δ），ＹXsYsが記憶される。そして、ステップＳＴ７４およびＳＴ７５の処理が終わるとステップＳＴ８０へ進み、また、ステップＳＴ７８およびＳＴ７９の処理が終わるとステップＳＴ８４へ進んで、それぞれ動き補償用の等化パルスを加減する。
【０１８６】
図３４に示されるように、ステップＳＴ８０では、予め設けられたルックアップテーブル（ＬＵＴ）により検出された動き量ＶXsYsに対応する行を選択し、さらに、ステップＳＴ８１に進んで、ＹXsYsの状態により正負どちらの等化パルスを加えるかを選択する。さらに、ステップＳＴ８２において、動き量を挟む画素（ε，ζ）により等化パルスの重み付け方向を決定し、ステップＳＴ８３に進んで、動き量を挟む画素（ε，ζ）に挟まれた領域に重み付け等化パルスを順に加えて、等化パルス加減処理ＳＴ３６を終了し、メインルーチンへ戻る（図２９中のステップＳＴ３７へ進む）。
【０１８７】
一方、ステップＳＴ８４では、ルックアップテーブルＬＵＴにより検出スタート画素ＹXsYsの状態に従う従来技術と同様の等化パルス（図２７および図３５に示す等化パルス）を選択する。さらに、ステップＳＴ８５に進んで、動き量を挟む画素（ε，ζ）に挟まれた領域に等化パルスを順に加えて、等化パルス加減処理ＳＴ３６を終了し、メインルーチンへ戻る（図２９中のステップＳＴ３７へ進む）。
【０１８８】
図３５は図３３および図３４に示す等化パルス加減処理の変形例を説明するための図であり、図３５（ａ）および図３５（ｂ）は、それぞれ図３３および図３４に示す等化パルス加減処理における参照符号ＦからＧの間の処理の変形例を示すものである。すなわち、図３３および図３４中のステップＳＴ７７〜ＳＴ７９およびステップ８４，ＳＴ８５は、図３５（ａ）に示すステップＳＴ８６およびＳＴ８７、或いは、図３５（ｂ）に示すステップＳＴ８８として処理することができる。
【０１８９】
図３３，図３４および図３５（ａ）に示されるように、ステップＳＴ７６において、検索された動き領域を挟む縦方向の画素（γ，δ）が（ａ，ｄ）および（ｄ，ａ）ではないと判別されると、図３３中のステップＳＴ７７へ進む代わりに、図３５（ａ）中のステップＳＴ８６へ進む。ステップＳＴ８６では、予め設けられたルックアップテーブルＬＵＴにより検出スタート画素ＹXsYsの状態に従った等化パルスを選択し、さらに、ステップＳＴ８７に進んで、座標（Ｘs,Ｙs ）に対してのみ上記ＹXsYsの状態に対応した等化パルスを順に加えて、等化パルス加減処理ＳＴ３６を終了し、メインルーチンへ戻る（図２９中のステップＳＴ３７へ進む）。このように、図３３および図３４中のステップＳＴ７７〜ＳＴ７９およびステップ８４，ＳＴ８５を、図３５（ａ）に示すステップＳＴ８６およびＳＴ８７として処理することができる。
【０１９０】
さらに、図３３，図３４および図３５（ｂ）に示されるように、ステップＳＴ７６において、検索された動き領域を挟む縦方向の画素（γ，δ）が（ａ，ｄ）および（ｄ，ａ）ではないと判別されると、図３３中のステップＳＴ７７へ進む代わりに、図３５（ｂ）中のステップＳＴ８８へ進み、等化パルスを加えないで、等化パルス加減処理ＳＴ３６を終了し、メインルーチンへ戻る（図２９中のステップＳＴ３７へ進む）。すなわち、図３３および図３４中のステップＳＴ７７〜ＳＴ７９およびステップ８４，ＳＴ８５を、図３５（ｂ）に示すステップＳＴ８８として処理してもよい。
【０１９１】
このように、図２７〜図３５のフローチャートを参照して説明したように、本発明が適用される中間調表示方法は、様々な移動速度および移動方向の動画像に対して、特に、例えば、移動速度が５画素／フレームを越えるような高速な動画像に対しても、中間調表示の乱れを減少して、映像の動画偽輪郭を改善することができる。
【０１９２】
図３６は本発明に係る中間調表示方法が適用される表示装置における表示画像の一例を示す図であり、図３７は図３６に示す表示画像に対して本発明を適用した場合の課題を説明するための図であり、前述した図２０および図２２に関連するものである。
前述した本発明に係る中間調表示方法の形態は、例えば、表示パネルにおいて、１つの画素ＰＸＬ３２だけが１６０−ＢＢで、他の画素が１５９−ＡＡの場合、図３７に示されるように、画素ＰＸＬ３３は、左隣のＰＸＬ３２（１６０−ＢＢ：４８階調レベルの発光ブロックを３つ使用した１６０階調レベルの表示）に合わせて、４８階調レベルの発光ブロックを３つ使用した１５９階調レベルの表示（１５９−ＢＢ）となり、また、画素ＰＸＬ３４およびＰＸＬ３５も１５９−ＢＢとなる。すなわち、前述した中間調表示方法は、冗長性のある発光ブロックの重み付けを利用して、隣接する画素の発光パターンにより自身の発光パターンを決定するものであり、図３７に示されるように、画素ＰＸＬ３３〜ＰＸＬ３５の発光パターンを隣接する画素ＰＸＬ３２（１６０−ＢＢ）と揃える（１５９−ＢＢ）ことにより、ライン毎の速度検出を正確に行うようになっている。
【０１９３】
なお、前述したのと同様に、参照符号ＡＡは、例えば、４８階調レベルの発光ブロック（最も輝度の重みの大きい発光ブロック）を２つ（Ｄ１，Ｄ２）使用して階調表示を行う場合を示し、また、参照符号ＢＢは４８階調レベルの発光ブロックを３つ（Ｄ１，Ｄ２，Ｄ３）使用して階調表示を行う場合を示している。従って、１５９−ＡＡは４８階調レベルの発光ブロックを２つ使用して１５９階調レベルを表示する画素を示し、１５９−ＢＢは４８階調レベルの発光ブロックを３つ使用して１５９階調レベルを表示する画素を示し、そして、１６０−ＢＢは４８階調レベルの発光ブロックを３つ使用して１６０階調レベルを表示する画素を示している。
【０１９４】
以上の説明は、１つのラインについてのものであり、実際の平面的な表示パネルを考えた場合には、次のような解決すべき課題がある。
すなわち、図３６および図３７に示されるように、例えば、画素ＰＸＬ３２だけが１６０−ＢＢで他の画素が１５９−ＡＡのとき、表示パネル上の映像が水平方向（横方向）に動くのであれば、速度検出を正確に行うことができて問題はない。しかしながら、もし、この映像が垂直方向に移動すると、垂直方向の１ライン（列）で図２０を参照して説明したのと同様の問題が生じ、動画偽輪郭がほとんど低減されないことになるだけでなく、ライン（複数の画素）で発光状態を揃えているため、乱れもライン状に発生してしまう。このライン状の乱れは、通常発生する動画偽輪郭の発生場所とは異なる場所に現れるため、乱れが視認されやすい。
【０１９５】
以下に説明する本発明の他の形態は、上述したように、例えば、周りの画素と階調の異なるノイズのような特異点であっても、その画素に隣接しているとそれに習って発光パターンを決定するために生じるライン状の乱れ等をなくし、水平および垂直のどちらの方向に対しても発光パターンをできるだけ揃えると共に、ノイズのような特異点による悪影響を削減して、前述の動き補償等化パルス法をより一層効果的に適用せんとするものである。また、本発明の他の形態は、前述した前述した図２１に示す表示装置に対してそのまま適用することができる。
【０１９６】
なお、本発明の他の形態においても、１フレーム（１フィールド）を複数の発光ブロックで構成し、その発光ブロックのうち輝度の重みの大きい発光ブロック（最も輝度の重みの大きい発光ブロック）が複数設けられている点灯シーケンスを利用した中間調表示方法および表示装置に適用される。
図３８〜図４１は本発明に係る中間調表示方法の他の形態の実施例を説明するための図であるが、それぞれの図において、各画素の本来の発光パターンは、図３６に示されるもの（例えば、最大輝度の発光ブロックの数を最小として発光パターンを規定したもの）であり、また、処理の対象とする画素（注目画素）は画素ＰＸＬ３３とする。なお、以下の各実施例の説明においては、本発明の他の形態をより一層理解し易くするために、各画素の本来の発光パターンを、図３６に示される以外のものについても言及する。
【０１９７】
図３８は本発明に係る中間調表示方法の他の形態の第１実施例を説明するための図である。
図３８に示されるように、本第１実施例では、注目画素ＰＸＬ３３に対して、その周囲の４つの画素（参照画素）ＰＸＬ２２，ＰＸＬ２３，ＰＸＬ２４，ＰＸＬ３２が使用する発光ブロックを参照して、当該注目画素ＰＸＬ３３が使用する発光ブロックを規定するようになっている。具体的に、図３８の場合には、３つの参照画素ＰＸＬ２２，ＰＸＬ２３，ＰＸＬ２４は１５９−ＡＡで、１つの参照画素ＰＸＬ３２は１６０−ＢＢとなっているため、これら４つの参照画素の多数決を行って、過半数を超えた発光ブロックの使用状況（１５９−ＡＡ：４８階調レベルの発光ブロックを２つ使用）から注目画素ＰＸＬ３３の発光パターンを、１５９−ＡＡ（４８階調レベルの発光ブロックを２つ使用）と規定する。
【０１９８】
ここで、例えば、図３８において、３つの参照画素ＰＸＬ２２，ＰＸＬ２３，ＰＸＬ２４が１６０−ＢＢで、１つの参照画素ＰＸＬ３２が１５９−ＡＡとなっている場合には、過半数を超えた発光ブロックの使用状況（１６０−ＢＢ：４８階調レベルの発光ブロックを３つ使用）から注目画素ＰＸＬ３３の発光パターンを、１５９−ＢＢ（４８階調レベルの発光ブロックを３つ使用）と規定することになる。
【０１９９】
なお、例えば、図３８において、２つの参照画素ＰＸＬ２２，ＰＸＬ２３が１５９−ＡＡで、２つの参照画素ＰＸＬ２４，ＰＸＬ３２が１６０−ＢＢの場合、すなわち、多数決を行った結果が同数の場合には、注目画素ＰＸＬ３３の発光パターンを変化させずに１５９−ＡＡ（最大輝度の発光ブロックの数を最小として発光パターンを規定したもの）とすればよい。また、注目画素が最も左上側の画素ＰＸＬ１１の場合には、この注目画素ＰＸＬ１１に対する参照画素が存在しないことになるが、この場合には、例えば、最も輝度の大きい発光ブロック（例えば、４８階調レベルの発光ブロック）の数を０として処理を行えばよい（従って、注目画素ＰＸＬ１１は本来の発光パターンを維持することになる）。
【０２００】
従って、前述した本発明の中間調表示方法の説明と同様に、例えば、１つの階調が最も輝度の重みの大きい発光ブロックの使用個数が少ない第１の表現および最も輝度の重みの大きい発光ブロックの使用個数が多い第２の表現の２通りで表すことができる場合、注目画素ＰＸＬ３３における最も輝度の重みの大きい発光ブロックの使用個数は、参照画素ＰＸＬ２２，ＰＸＬ２３，ＰＸＬ２４，ＰＸＬ３２における最も輝度の重みの大きい発光ブロックの使用個数の多数決により決める。すなわち、注目画素ＰＸＬ３３における最も輝度の重みの大きい発光ブロックの使用個数は，参照画素ＰＸＬ２２，ＰＸＬ２３，ＰＸＬ２４，ＰＸＬ３２における最も輝度の重みの大きい発光ブロックの使用個数が異なる場合（グループ番号ＧＡおよびＧＢ：表１参照）、グループ番号ＧＡの参照画素の数ＮＡとグループ番号ＧＢの参照画素の数ＮＢとの多数決により決める。
【０２０１】
ＮＢ＜ＮＡの場合……第１の表現（グループ番号ＧＡによる表現）
ＮＢ＝ＮＡの場合……（注目画素の本来の表現）
ＮＢ＞ＮＡの場合……第２の表現（グループ番号ＧＢによる表現）
図３９は本発明に係る中間調表示方法の他の形態の第２実施例を説明するための図である。
【０２０２】
上述した第１実施例では、参照画素を偶数個としたために多数決で同数となる場合が生じたが、本第２実施例では、参照画素を奇数個とするようになっている。すなわち、本第２実施例では、図３８における４つの参照画素ＰＸＬ２２，ＰＸＬ２３，ＰＸＬ２４，ＰＸＬ３２に１つの参照画素ＰＸＬ４２を加えて、参照画素を５つ（奇数個）とするようになっている。ここで、参照画素としては、各画素の本来の発光パターン（最大輝度の発光ブロックの数を最小として発光パターンを規定したもの）を使用してもよいが、順次処理を行った後の発光パターンを使用してもよい。従って、例えば、注目画素を、各ライン（例えば、Ｙ１）において左側から右側へ（ＰＸＬ１１→ＰＸＬ１２→ＰＸＬ１３，→）移動し、さらに、上方から下方へ（Ｙ１→Ｙ２→Ｙ３→）移動して処理を行う場合、本第２実施例では、参照画素ＰＸＬ２２，ＰＸＬ２３，ＰＸＬ２４，ＰＸＬ３２は処理を行った後の発光パターンを有する画素となり、参照画素ＰＸＬ４２は処理前の本来の発光パターンを有する画素となる。
【０２０３】
図４０は本発明に係る中間調表示方法の他の形態の第３実施例を説明するための図である。
上述した図３８および図３９に示す第１および第２実施例では、注目画素ＰＸＬ３３に対して直接に隣接する画素（ＰＸＬ２２，ＰＸＬ２３，ＰＸＬ２４，ＰＸＬ３２；ＰＸＬ４２）を参照画素として多数決処理を行ったが、図４０に示す第３実施例では、注目画素ＰＸＬ３３に対して直接に隣接する４つの画素（ＰＸＬ２２，ＰＸＬ２３，ＰＸＬ２４，ＰＸＬ３２）だけでなく、注目画素ＰＸＬ３３に対して他の画素を介して近接する７つの画素（ＰＸＬ１１，ＰＸＬ１２，ＰＸＬ１３，ＰＸＬ１４，ＰＸＬ１５，ＰＸＬ２１，ＰＸＬ３１）も参照画素として、すなわち、注目画素ＰＸＬ３３の周囲の１１個の参照画素により多数決処理を行うようになっている。
【０２０４】
図４１は本発明に係る中間調表示方法の他の形態の第４実施例を説明するための図である。
本第４実施例は、前述した図３９に示す第２実施例と同じ画素ＰＸＬ２２，ＰＸＬ２３，ＰＸＬ２４，ＰＸＬ３２，ＰＸＬ４２を参照画素としているが、各参照画素に重み付けをするようになっている。具体的に、参照画素ＰＸＬ２２に対して『３』の重みを付け、参照画素ＰＸＬ２３，ＰＸＬ３２に対して『２』の重みを付け、そして、参照画素ＰＸＬ２４，ＰＸＬ４２に対して『１』の重みを付けるようになっている。従って、前述の多数決処理は、各参照画素に対して指定された重みの大きさを掛け合わせ、その結果を多数決する。
【０２０５】
例えば、本来の発光パターンに基づいて処理を行う場合、図４１において、参照画素ＰＸＬ２２も１６０−ＢＢのとき、すなわち、重み『３』の参照画素ＰＸＬ２２および重み『２』の参照画素ＰＸＬ３２が１６０−ＢＢで他の参照画素ＰＸＬ２３，ＰＸＬ２４，ＰＸＬ４２が１５９−ＡＡのとき、前述の第２実施例では注目画素ＰＸＬ３３は１５９−ＡＡとなるが、本第４実施例では注目画素ＰＸＬ３３は１５９−ＢＢとなる。
【０２０６】
以上、本発明の他の形態の第１〜第４実施例において、各参照画素の決め方或いは参照画素の数、および、参照画素に対する重みの与え方等は、あくまでも単なる例示であり、様々に変化させうるのはいうまでもない。
このように、本発明の他の形態によれば、例えば、周囲と階調の異なるノイズのような特異点があったとしても、各画素の発光状態を平面的に均一化することができ、より正確な動き補償等化パルスを効果的に付加することが可能となる。
【０２０７】
なお、本発明が適用される表示装置としては、プラズマディスプレイ等のガス放電パネルの他に、フレーム或いはフィールド内時間分割法で中間調表示を行う様々な表示装置、例えば、ＤＭＤ（Digital Micromirror Device) やＥＬパネル等に対しても適用可能なのは前述した通りである。
【０２０８】
【発明の効果】
以上、詳述したように、本発明によれば、１つの階調表示を複数通りのサブフレーム（発光ブロック）の組み合わせで表現することができる冗長性を持った点灯シーケンスを利用する場合に、その冗長性を積極的に活用して映像の動画偽輪郭（色偽輪郭）の発生そのものを低減することができ、また、動き補償等化パルス法を有効に適用して表示画像の品質をさらに向上させることができる。
【図面の簡単な説明】
【図１】従来の各サブフレームの点灯シーケンスの一例を示す図である。
【図２】中間階調レベルが１２７と１２８における各サブフレームの点灯状態の一例を示す図である。
【図３】第１のフレームと第２のフレームにおける点灯状態を説明する図である。
【図４】従来の中間調表示方法の一例における中間調輝度の乱れの発生原因の一例を説明するための図である。
【図５】従来の中間調表示方法の一例における中間調輝度の乱れの発生原因の他の例を説明するための図である。
【図６】従来の中間調表示方法の一例における中間調輝度の乱れの発生原因のさらに別の例を説明するための図である。
【図７】中間階調レベルが３１から３２に変化する場合におけるサブフレームの分離状態の一例を示す図である。
【図８】図７に示す具体例において、右方向スクロールを行った場合のサブフレームの分離状態の一例を示す図である。
【図９】中間階調レベルが３２から３１に変化する場合におけるサブフレームの分離状態の一例を示す図である。
【図１０】表示画像をスクロールした状態を示す図である。
【図１１】左側から右側へ表示画像をスクロールした時に生じる問題を説明するための図である。
【図１２】右側から左側へ表示画像をスクロールした時に生じる問題を説明するための図である。
【図１３】従来の中間調表示方法の他の例を説明するための図である。
【図１４】従来の輝度調整用発光ブロック挿入回路の一例を示すブロック図である。
【図１５】従来の中間調表示方法のさらに他の例を説明するための図（その１）である。
【図１６】従来の中間調表示方法のさらに他の例を説明するための図（その２）である。
【図１７】従来の中間調表示方法のさらに他の例を説明するための図（その３）である。
【図１８】従来の中間調表示方法のさらに他の例を説明するための図（その４）である。
【図１９】本発明が対象とする従来の各サブフレームの点灯シーケンスの一例を示す図である。
【図２０】図１９に示す点灯シーケンスにおける課題を説明するための図である。
【図２１】本発明が適用される表示装置の一例を概略的に示すブロック図である。
【図２２】本発明に係る中間調表示方法の原理を説明するための図である。
【図２３】本発明に係る中間調表示方法を概略的に示すフローチャートである。
【図２４】本発明に係る中間調表示方法の一例を説明するためのフローチャートである。
【図２５】本発明に係る中間調表示方法の一例の動作を示すフローチャート（その１）である。
【図２６】本発明に係る中間調表示方法の一例の動作を示すフローチャート（その２）である。
【図２７】本発明が適用される中間調表示方法の処理の一例を示すフローチャートである。
【図２８】図２７のフローチャートにおけるビット切替り部検出処理の一例を示すフローチャートである。
【図２９】図２７のフローチャートにおける動画偽輪郭改善処理の一例を示すフローチャートである。
【図３０】図２９のフローチャートにおける動き量検出処理の一例を示すフローチャート（その１）である。
【図３１】図２９のフローチャートにおける動き量検出処理の一例を示すフローチャート（その２）である。
【図３２】図２９のフローチャートにおける動き量検出処理の一例を示すフローチャート（その３）である。
【図３３】図２９のフローチャートにおける等化パルス加減処理の一例を示すフローチャート（その１）である。
【図３４】図２９のフローチャートにおける等化パルス加減処理の一例を示すフローチャート（その２）である。
【図３５】図３３および図３４に示す等化パルス加減処理の変形例を説明するための図である。
【図３６】本発明に係る中間調表示方法が適用される表示装置における表示画像の一例を示す図である。
【図３７】図３６に示す表示画像に対して本発明を適用した場合の課題を説明するための図である。
【図３８】本発明に係る中間調表示方法の他の形態の第１実施例を説明するための図である。
【図３９】本発明に係る中間調表示方法の他の形態の第２実施例を説明するための図である。
【図４０】本発明に係る中間調表示方法の他の形態の第３実施例を説明するための図である。
【図４１】本発明に係る中間調表示方法の他の形態の第４実施例を説明するための図である。
【符号の説明】
１００…表示装置
１０２…画像表示部
１３１…Ｘデコーダ
１３２…Ｘドライバ
１４１…Ｙデコーダ
１４２…Ｙドライバ
１０５…制御部
２００…発光ブロック選択および輝度調整用発光ブロック挿入手段
３１０…遅延手段
４００…輝度調整用発光ブロック追加手段
４１０…等化パルス判別手段
４１０ａ…比較部
４１０ｂ…ルックアップテーブル（ＬＵＴ）
４２０…等化パルス追加手段
Ｄ（Ｄ１〜Ｄ４）…最も輝度の重みの大きい発光ブロック（４８階調レベルの発光ブロック）
ＥＰＡ，ＥＰＳ…等化パルス
【図１】
0004767379.tif 000012
【図２】
0004767379.tif 000013
【図３】
0004767379.tif 000014
【図４】
0004767379.tif 000015
【図５】
0004767379.tif 000016
【図６】
0004767379.tif 000017
【図７】
0004767379.tif 000018
【図８】
0004767379.tif 000019
【図９】
0004767379.tif 000020
【図１０】
0004767379.tif 000021
【図１１】
0004767379.tif 000022
【図１２】
0004767379.tif 000023
【図１３】
0004767379.tif 000024
【図１４】
0004767379.tif 000025
【図１５】
0004767379.tif 000026
【図１６】
0004767379.tif 000027
【図１７】
0004767379.tif 000028
【図１８】
0004767379.tif 000029
【図１９】
0004767379.tif 000030
【図２０】
0004767379.tif 000031
【図２１】
0004767379.tif 000032
【図２２】
0004767379.tif 000033
【図２３】
0004767379.tif 000034
【図２４】
0004767379.tif 000035
【図２５】
0004767379.tif 000036
【図２６】
0004767379.tif 000037
【図２７】
0004767379.tif 000038
【図２８】
0004767379.tif 000039
【図２９】
0004767379.tif 000040
【図３０】
0004767379.tif 000041
【図３１】
0004767379.tif 000042
【図３２】
0004767379.tif 000043
【図３３】
0004767379.tif 000044
【図３４】
0004767379.tif 000045
【図３５】
0004767379.tif 000046
【図３６】
0004767379.tif 000047
【図３７】
0004767379.tif 000048
【図３８】
0004767379.tif 000049
【図３９】
0004767379.tif 000050
【図４０】
0004767379.tif 000051
【図４１】
0004767379.tif 000052